(57)【要約】【課題】ワンタッチダイヤルや短縮ダイヤルなどのデータを他の装置に移行させる際に、データの溢れを低減、防止したファクシミリ装置を提供する。【解決手段】ファクシミリ装置１のワンタッチダイヤルや短縮ダイヤルなどのデータを、ファクシミリ装置１０へと転送して登録する際に、ファクシミリ装置１０のワンタッチダイヤル用の記憶容量および短縮ダイヤル用の記憶容量を検出する。ワンタッチダイヤル用のデータをファクシミリ装置１０へと転送して登録し（Ｐ１）、短縮ダイヤル用のデータをファクシミリ装置１０へと転送して登録し（Ｐ２）、残りの短縮ダイヤル用のデータを余ったワンタッチダイヤル用の領域に登録する（Ｐ３）。これによって、ワンタッチダイヤルや短縮ダイヤルなどのデータの溢れを低減、または防止できる。【選択図】  図１
2004357258.tif 000002
【特許請求の範囲】
【請求項１】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、
ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、
上記第１の記憶部のデータを上記第３の記憶部に登録するとともに、上記第２の記憶部のデータを上記第４の記憶部に登録する登録部とを備え、
上記登録部は、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を上記第４の記憶部に登録することを特徴とするファクシミリ装置。
【請求項２】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、
ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、
上記第１の記憶部のデータを上記第３の記憶部に登録するとともに、上記第２の記憶部のデータを上記第４の記憶部に登録する登録部とを備え、
上記登録部は、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を上記第３の記憶部に登録することを特徴とするファクシミリ装置。
【請求項３】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、
ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、上記第１の記憶部のデータおよび上記第２の記憶部のデータを、上記第３の記憶部を優先するように登録する登録部を備えていることを特徴とするファクシミリ装置。
【請求項４】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、
上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部と、
ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、上記第１の記憶部のデータおよび上記第２の記憶部のデータを、上記頻度測定部の計測した頻度の高い順に、上記第３の記憶部を優先するように登録する登録部とを備えていることを特徴とするファクシミリ装置。
【請求項５】
上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、
上記登録部が、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を、上記頻度測定部の計測した頻度の高い順に、上記第４の記憶部に登録することを特徴とする請求項１に記載のファクシミリ装置。
【請求項６】
上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、
上記登録部が、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を、上記頻度測定部の計測した頻度の高い順に、上記第３の記憶部に登録することを特徴とする請求項２に記載のファクシミリ装置。
【請求項７】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、
ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、
上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部と、
上記検出部によって、上記第１の記憶部に記憶されているデータの容量が上記第３の記憶部の空き容量よりも小さいと検出されたときには、上記第１の記憶部のデータを上記第３の記憶部に登録し、上記第２の記憶部に記憶されているデータを、上記頻度測定部の計測した頻度の高い順に、上記第３の記憶部の空き領域および上記第４の記憶部の空き領域の少なくともいずれか一方に、上記第３の記憶部を優先するようにして登録する登録部とを備えていることを特徴とするファクシミリ装置。
【請求項８】
複数の送信先への同時送信を行うために、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、所定のキーに対する選択を検出すると上記キーによって指定される上記複数の送信先への送信を行うグループダイヤル部を備え、
上記登録部が、上記ワンタッチダイヤル部の用いるデータまたは上記短縮ダイヤル部の用いるデータの、上記他のファクシミリ装置への登録に応じて、上記グループダイヤル部における、上記ワンタッチダイヤル番号または上記短縮ダイヤル番号を修正して、上記他のファクシミリ装置に登録することを特徴とする請求項１ないし７のいずれか１項に記載のファクシミリ装置。
【請求項９】
上記登録部の登録結果に応じて、上記第３の記憶部および上記第４の記憶部に登録されたデータを印刷する印刷部を備えていることを特徴とする請求項１ないし８のいずれか１項に記載のファクシミリ装置。
【請求項１０】
数字キーの組合せによる短縮ダイヤル番号に対する選択を検出すると上記短縮ダイヤル番号によって指定される送信先への送信を行う短縮ダイヤル部と、上記数字キーとは独立して設けられた複数のキーのうちの一つのキーによるワンタッチダイヤル番号に対する選択を検出すると上記ワンタッチダイヤル番号によって指定される送信先への送信を行うワンタッチダイヤル部と、複数の送信先への同時送信を行うために、所定のキーによって指定されるグループダイヤル番号として、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、上記グループダイヤル番号に対する選択を検出すると、上記グループダイヤル番号によって指定される上記複数の送信先への送信を行うグループダイヤル部とを備えているファクシミリ装置において、
ファクシミリ装置本体と接続された他のファクシミリ装置に対して、上記ワンタッチダイヤル部が用いるデータおよび上記短縮ダイヤル部が用いるデータを登録する登録部を備え、
上記登録部は、上記他のファクシミリ装置の有する記憶領域に応じて、上記ワンタッチダイヤル部が用いるデータを上記他のファクシミリ装置の短縮ダイヤル部用の記憶領域に登録するとともに上記ワンタッチダイヤル用番号を短縮ダイヤル用番号として登録し、または上記短縮ダイヤル部が用いるデータを上記他のファクシミリ装置のワンタッチダイヤル部用の記憶領域に登録するとともに上記短縮ダイヤル用番号をワンタッチダイヤル用番号として登録し、
上記登録部は、上記他のファクシミリ装置において登録した上記ワンタッチダイヤル番号または上記短縮ダイヤル番号に応じて、上記グループダイヤル部の用いるデータを修正して、上記他のファクシミリ装置に対して登録することを特徴とするファクシミリ装置。
【請求項１１】
上記登録部は、上記ワンタッチダイヤル部が用いるデータの少なくとも一部、または上記短縮ダイヤル部が用いるデータの少なくとも一部が、上記他のファクシミリ装置において登録することができなかったときに、上記グループダイヤル部の用いるデータのうちの一部についても登録することができなかった場合には、その一部のデータについては、送信先のファクシミリ番号を用いて番号登録することを特徴とする、請求項１０に記載のファクシミリ装置。
【請求項１２】
上記登録部は、上記他のファクシミリ装置において登録され、変更された上記ワンタッチダイヤル番号、上記短縮ダイヤル番号に応じて修正した上記グループダイヤル部の用いるデータが、上記他のファクシミリ装置のグループダイヤル部の用いる記憶部の記憶容量を超えていて記憶できなかった場合に、上記記憶できなかった上記グループダイヤル番号は上記他のファクシミリ装置に登録しないことを特徴とする、請求項１０に記載のファクシミリ装置。
【請求項１３】
上記登録部の登録結果に応じて、上記グループダイヤル部に記憶されていたデータを印刷する印刷部を備えていることを特徴とする請求項１０ないし１２のいずれか１項に記載のファクシミリ装置。
【請求項１４】
数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部とを備える第１のファクシミリ装置における、短縮ダイヤル部の用いるデータとワンタッチダイヤル部の用いるデータとを、短縮ダイヤル部とワンタッチダイヤル部とを備える第２のファクシミリ装置に登録するための、ファクシミリ装置のデータ登録方法において、
第１のファクシミリ装置の短縮ダイヤル部の用いるデータの少なくとも一部を第２のファクシミリ装置のワンタッチダイヤル部の用いる記憶領域に登録する工程、または、第１のファクシミリ装置のワンタッチダイヤル部の用いるデータの少なくとも一部を第２のファクシミリ装置の短縮ダイヤル部の用いる記憶領域に登録する工程を含んでいることを特徴とする、ファクシミリ装置のデータ登録方法。
【発明の詳細な説明】
【０００１】
【発明の属する技術分野】
本発明は、ファクシミリ装置およびファクシミリ装置のデータ登録方法に関するものである。
【０００２】
【従来の技術】
ファクシミリ装置においては、送信先を選択するためのショートカットキーとして、短縮ダイヤルやワンタッチダイヤルといった機能を備えているものがある。
【０００３】
短縮ダイヤルとは、装置に備えられた数字キー（テンキー）に対して、通常二つまたは三つ程度の数字の組合せを順に押すことによって、特定の送信先へのファクシミリ送信を行うことのできる機能である。この数字の組合せは、通常、送信先のファクシミリ装置の電話番号（ＦＡＸ番号）よりも短いため、短縮ダイヤルを登録すると送信を容易にできる。例えば、送信を行う頻度の高い送信先について短縮ダイヤルを登録すれば、送信を容易にして、仕事の効率を高めることができる。
【０００４】
一方、ワンタッチダイヤルとは、数字キーとは独立に設けられた特別のキーを一つ選択することによって、特定の送信先へのファクシミリ送信を行うことのできる機能である。このように、キー一つのみによって送信を行うことができるため、短縮ダイヤルよりも送信を容易にできる。例えば、送信を行う頻度の非常に高い送信先についてワンタッチダイヤルを登録すれば、送信をさらに容易にして、仕事の効率をより高めることができる。
【０００５】
このような短縮ダイヤル、ワンタッチダイヤルの機能を備えたファクシミリ装置の一例が、日本国の公開特許公報「特開平９−１８１８４８号公報（公開日：１９９７年７月１１日）」に開示されている。上記公報に記載のファクシミリ装置のデータバックアップシステムは、短縮ダイヤルやワンタッチダイヤルのデータ等を消失した場合であっても回復することのできるデータバックアップシステムである。より詳細には、短縮ダイヤルやワンタッチダイヤルのデータ等を消失した場合、他の装置から短縮ダイヤルやワンタッチダイヤルのデータ等を送信してもらい、消失したデータを再登録するようになっている。
【０００６】
また、ファクシミリ装置においては、複数の送信先に同時に一つのデータを送信する同報送信機能を備えたものがある。この同報送信機能は、グループダイヤル番号の選択としての、例えば数字キーの組み合わせの選択、または数字キーとは独立に設けられた特別のキーの選択、または数字キーと特別のキーとの組み合わせの選択によって、特定の複数の送信先にファクシミリ送信を行う、グループダイヤル機能によって実現される。
【０００７】
ここで、このグループダイヤルのデータは、同報送信する宛先を、例えば短縮ダイヤルによって指定しているものであってもよい。または、例えばワンタッチダイヤルによって指定しているものであってもよい。または、例えばＦＡＸ番号によって指定（番号登録）しているものであってもよい。
【０００８】
このように、グループダイヤルを用いる場合には、このグループダイヤルのデータが、ワンタッチダイヤル、短縮ダイヤル、または番号登録の組み合わせによって登録される場合がある。
【０００９】
【特許文献１】
特開平９−１８１８４８号公報
【００１０】
【発明が解決しようとする課題】
しかしながら、上記従来の構成においては、短縮ダイヤルやワンタッチダイヤルなどのデータを他のファクシミリ装置に移行する場合に、登録できない短縮ダイヤルやワンタッチダイヤルが発生するという問題を生ずる。
【００１１】
すなわち、ファクシミリ装置においては、短縮ダイヤルやワンタッチダイヤルなどのデータを記憶するための記憶領域の容量は、例えばそのファクシミリ装置の製造者（メーカー）ごと、機種ごとに異なっている。このため、短縮ダイヤルやワンタッチダイヤルを登録することのできる送信先の数（登録可能数）が、そのファクシミリ装置の製造者ごと、機種ごとに異なるものとなる。
【００１２】
このため、例えば新たに他機種のファクシミリ装置を購入し、短縮ダイヤルやワンタッチダイヤルのデータをその装置に移行するときには、短縮ダイヤルの登録可能数とワンタッチダイヤルの登録可能数とが装置間で異なるために、登録できない短縮ダイヤルやワンタッチダイヤルが発生し、データの溢れが生ずる虞れがある。
【００１３】
また、ファクシミリ装置においてグループダイヤル機能を用いる場合に、このグループダイヤルが短縮ダイヤルやワンタッチダイヤルによって登録されていると、データの溢れによって、ワンタッチダイヤルが正しく登録できない可能性がある。また、グループダイヤル用データの再設定が必要となる。
【００１４】
本発明は、上記の問題点に鑑みてなされたものであり、その目的は、短縮ダイヤルやワンタッチダイヤルなどのデータを他のファクシミリ装置に移行する場合に、登録できない短縮ダイヤルやワンタッチダイヤルのデータの量を低減させ、または生じさせないファクシミリ装置およびファクシミリ装置のデータ登録方法を提供することにある。
【００１５】
【課題を解決するための手段】
本発明に係るファクシミリ装置は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、上記第１の記憶部のデータを上記第３の記憶部に登録するとともに、上記第２の記憶部のデータを上記第４の記憶部に登録する登録部とを備え、上記登録部は、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を上記第４の記憶部に登録することを特徴としている。
【００１６】
上記ファクシミリ装置の短縮ダイヤル部は、例えば二つまたは三つ程度の数字の組合せによる、数字キーに対する選択を検出すると、その組合せによって指定される送信先のデータを第２の記憶部から読み出して、送信を行う。第２の記憶部には、短縮ダイヤル部が用いる送信先のデータ（短縮ダイヤル用データ）が記憶されている。なお、短縮ダイヤル部の機能は、さらに特殊キーと上述の数字の組合せとによって実現されてもよい。
【００１７】
また、ワンタッチダイヤル部は、数字キーとは独立に設けられたキーの一つに対する選択を検出すると、そのキーによって指定される送信先のデータを第１の記憶部から読み出して、送信を行う。第１の記憶部には、ワンタッチダイヤル部が用いる送信先のデータ（ワンタッチダイヤル用データ）が記憶されている。
【００１８】
上記ファクシミリ装置のワンタッチダイヤル部のためのデータ、短縮ダイヤル部のためのデータを、そのファクシミリ装置に接続された他のファクシミリ装置に登録する際には、検出部が、他のファクシミリ装置の備える、ワンタッチダイヤル部の用いるデータを記憶するための第３の記憶部の空き容量を検出する。また、検出部は、上記の他のファクシミリ装置の備える、短縮ダイヤル部の用いるデータを記憶するための第４の記憶部の空き容量を検出する。
【００１９】
なお、空き容量の検出としては、例えばバイト単位での空き容量のサイズを検出してもよいし、または、記憶領域に登録可能なデータの数（登録可能数）として検出してもよい。また、上述した第３の記憶部、第４の記憶部における空き容量、空き領域は、データの全く登録されていない領域のみを指すものではなく、例えば上記他のファクシミリ装置には不要なデータが登録されており、上書きしてしまってもいい場合についても、空き領域に相当するものとする。また、第１の記憶部、第２の記憶部は、例えば不揮発性のメモリを用いて構成できる。
【００２０】
そして、登録部が、第１の記憶部に記憶されているデータを、第３の記憶部の空き領域に登録する。また、第２の記憶部に記憶されているデータを、第４の記憶部の空き領域に登録する。
【００２１】
ここで、例えば、第１の記憶部に記憶されているデータの容量が、第３の記憶部の空き容量を超えている場合には、上記他のファクシミリ装置に登録できない、溢れたワンタッチダイヤル用データが生ずることになる。また、例えば、第２の記憶部に記憶されているデータの容量が、第４の記憶部の空き容量を超えている場合には、上記他のファクシミリ装置に登録できない、溢れた短縮ダイヤル用データが生ずることになる。
【００２２】
そこで、登録部は、第１の記憶部に記憶されているデータの容量が第３の記憶部の空き容量を超えており、かつ、第２の記憶部に記憶されているデータの容量が第４の記憶部の空き容量よりも小さいと検出されたときには、第１の記憶部に記憶されているデータの少なくとも一部を第４の記憶部に登録する。
【００２３】
例えば、第１の記憶部に記憶されているデータのうちの、第３の記憶部に登録できない分を、第４の記憶部の空き領域に登録する。これによって、溢れたワンタッチダイヤル用データを低減し、または溢れたワンタッチダイヤル用データの発生を防止できる。
【００２４】
また、上記構成において、登録部が、第１の記憶部に記憶されているデータの容量と第３の記憶部の空き容量とを比較して、小さい方の容量分のデータを第１の記憶部から読み出して第３の記憶部の空き領域に登録し、第２の記憶部に記憶されているデータの容量と第４の記憶部の空き容量とを比較して、小さい方の容量分のデータを第２の記憶部から読み出して第４の記憶部の空き領域に登録し、第３の記憶部に登録しなかった第１の記憶部に登録されているデータを、第４の記憶部に登録する構成であってもよい。この構成であれば、第１の記憶部、第２の記憶部に記憶されている状態をできるだけ維持して、第３の記憶部、第４の記憶部に登録するので、使い勝手を維持できる。
【００２５】
すなわち、例えば上記ファクシミリ装置と上記他のファクシミリ装置とで機種が異なり、機種間でワンタッチダイヤル用データの登録可能数が異なっても、登録できない分のワンタッチダイヤル用データを短縮ダイヤル用の記憶領域に登録し直すことができる。したがって、例えば、溢れた分のワンタッチダイヤル用データをユーザが新たに登録する必要は無い。よって、ユーザの登録作業を軽減できる。
【００２６】
したがって、ワンタッチダイヤルや短縮ダイヤルなどのデータの溢れをできるだけ低減、防止したファクシミリ装置を提供できる。
【００２７】
なお、上記のファクシミリ装置を、第一のファクシミリ装置のワンタッチダイヤルと短縮ダイヤルを第二のファクシミリ装置に登録する場合、第一のファクシミリ装置に登録してあるワンタッチダイヤル数が第二のファクシミリ装置のワンタッチダイヤル登録可能数より多く、且つ、短縮ダイヤルに空きがある場合は、第二のファクシミリ装置に登録できない分のワンタッチダイヤルを第二のファクシミリ装置の短縮ダイヤルへ登録する構成である、と表現することもできる。
【００２８】
本発明に係るファクシミリ装置は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、上記第１の記憶部のデータを上記第３の記憶部に登録するとともに、上記第２の記憶部のデータを上記第４の記憶部に登録する登録部とを備え、上記登録部は、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を上記第３の記憶部に登録することを特徴としている。
【００２９】
上記ファクシミリ装置の短縮ダイヤル部は、例えば二つまたは三つ程度の数字の組合せによる、数字キーに対する選択を検出すると、その組合せによって指定される送信先のデータを第２の記憶部から読み出して、送信を行う。第２の記憶部には、短縮ダイヤル部が用いる送信先のデータ（短縮ダイヤル用データ）が記憶されている。なお、短縮ダイヤル部の機能は、さらに特殊キーと上述の数字の組合せとによって実現されてもよい。
【００３０】
また、ワンタッチダイヤル部は、数字キーとは独立に設けられたキーの一つに対する選択を検出すると、そのキーによって指定される送信先のデータを第１の記憶部から読み出して、送信を行う。第１の記憶部には、ワンタッチダイヤル部が用いる送信先のデータ（ワンタッチダイヤル用データ）が記憶されている。
【００３１】
上記ファクシミリ装置のワンタッチダイヤル部のためのデータ、短縮ダイヤル部のためのデータを、そのファクシミリ装置に接続された他のファクシミリ装置に登録する際には、検出部が、他のファクシミリ装置の備える、ワンタッチダイヤル部の用いるデータを記憶するための第３の記憶部の空き容量を検出する。また、検出部は、上記の他のファクシミリ装置の備える、短縮ダイヤル部の用いるデータを記憶するための第４の記憶部の空き容量を検出する。
【００３２】
なお、空き容量の検出としては、例えばバイト単位での空き容量のサイズを検出してもよいし、または、記憶領域に登録可能なデータの数（登録可能数）として検出してもよい。また、上述した第３の記憶部、第４の記憶部における空き容量、空き領域は、データの全く登録されていない領域のみを指すものではなく、例えば上記他のファクシミリ装置には不要なデータが登録されており、上書きしてしまってもいい場合についても、空き領域に相当するものとする。また、第１の記憶部、第２の記憶部は、例えば不揮発性のメモリを用いて構成できる。
【００３３】
そして、登録部が、第１の記憶部に記憶されているデータを、第３の記憶部の空き領域に登録する。また、第２の記憶部に記憶されているデータを、第４の記憶部の空き領域に登録する。
【００３４】
ここで、例えば、第１の記憶部に記憶されているデータの容量が、第３の記憶部の空き容量を超えている場合には、上記他のファクシミリ装置に登録できない、溢れたワンタッチダイヤル用データが生ずることになる。また、例えば、第２の記憶部に記憶されているデータの容量が、第４の記憶部の空き容量を超えている場合には、上記他のファクシミリ装置に登録できない、溢れた短縮ダイヤル用データが生ずることになる。
【００３５】
そこで、登録部は、第２の記憶部に記憶されているデータの容量が第４の記憶部の空き容量を超えており、かつ、第１の記憶部に記憶されているデータの容量が第３の記憶部の空き容量よりも小さいと検出されたときには、第２の記憶部に記憶されているデータの少なくとも一部を第３の記憶部に登録する。
【００３６】
例えば、第２の記憶部に記憶されているデータのうちの、第４の記憶部に登録できない分を、第３の記憶部の空き領域に登録する。これによって、溢れた短縮ダイヤル用データを低減し、または溢れた短縮ダイヤル用データの発生を防止できる。
【００３７】
また、上記構成において、登録部が、第１の記憶部に記憶されているデータの容量と第３の記憶部の空き容量とを比較して、小さい方の容量分のデータを第１の記憶部から読み出して第３の記憶部の空き領域に登録し、第２の記憶部に記憶されているデータの容量と第４の記憶部の空き容量とを比較して、小さい方の容量分のデータを第２の記憶部から読み出して第４の記憶部の空き領域に登録し、第４の記憶部に登録しなかった第２の記憶部に登録されているデータを、第３の記憶部に登録する構成であってもよい。この構成であれば、第１の記憶部、第２の記憶部に記憶されている状態をできるだけ維持して、第３の記憶部、第４の記憶部に登録するので、使い勝手を維持できる。
【００３８】
すなわち、例えば上記ファクシミリ装置と上記他のファクシミリ装置とで機種が異なり、機種間で短縮ダイヤル用データの登録可能数が異なっても、登録できない分の短縮ダイヤル用データをワンタッチダイヤル用の記憶領域に登録し直すことができる。したがって、例えば、溢れた分の短縮ダイヤル用データをユーザが新たに登録する必要は無い。よって、ユーザの登録作業を軽減できる。
【００３９】
したがって、ワンタッチダイヤルや短縮ダイヤルなどのデータの溢れをできるだけ低減、防止したファクシミリ装置を提供できる。
【００４０】
なお、上記ファクシミリ装置を、第一のファクシミリ装置のワンタッチダイヤルと短縮ダイヤルを第二のファクシミリ装置に登録する場合、第一のファクシミリ装置に登録してある短縮ダイヤル数が第二のファクシミリ装置の短縮ダイヤル登録可能数より多く、且つ、ワンタッチダイヤルに空きがある場合は、第二のファクシミリ装置に登録できない分の短縮ダイヤルを第二のファクシミリ装置のワンタッチダイヤルへ登録する構成である、と表現することもできる。
【００４１】
本発明に係るファクシミリ装置は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、上記第１の記憶部のデータおよび上記第２の記憶部のデータを、上記第３の記憶部を優先するように登録する登録部を備えていることを特徴としている。
【００４２】
上記ファクシミリ装置の短縮ダイヤル部は、例えば二つまたは三つ程度の数字の組合せによる、数字キーに対する選択を検出すると、その組合せによって指定される送信先のデータを第２の記憶部から読み出して、送信を行う。第２の記憶部には、短縮ダイヤル部が用いる送信先のデータ（短縮ダイヤル用データ）が記憶されている。なお、短縮ダイヤル部の機能は、さらに特殊キーと上述の数字の組合せとによって実現されてもよい。
【００４３】
また、ワンタッチダイヤル部は、数字キーとは独立に設けられたキーの一つに対する選択を検出すると、そのキーによって指定される送信先のデータを第１の記憶部から読み出して、送信を行う。第１の記憶部には、ワンタッチダイヤル部が用いる送信先のデータ（ワンタッチダイヤル用データ）が記憶されている。
【００４４】
上記ファクシミリ装置のワンタッチダイヤル用データ、短縮ダイヤル用データを、そのファクシミリ装置に接続された他のファクシミリ装置に登録する際には、第１の記憶部のワンタッチダイヤル用データおよび第２の記憶部に記憶されている短縮ダイヤル用データを、登録部が、他のファクシミリ装置の第３の記憶部の空き領域および第４の記憶部の空き領域の少なくともいずれか一方に、第３の記憶部を優先するように登録する。
【００４５】
例えば、第１の記憶部のデータを第３の記憶部に登録する。そして、さらに第２の記憶部のデータを第３の記憶部に登録する。なお、第３の記憶部に登録できなかった分の第１の記憶部のデータは、第４の記憶部に登録する。また、第３の記憶部に登録できなかった分の第２の記憶部のデータは、第４の記憶部に登録する。
【００４６】
これによって、例えば、第２の記憶部のデータの容量が第４の記憶部の空き容量を超えている場合であっても、第２の記憶部のデータを第３の記憶部に優先して登録するので、超えた分のデータの少なくとも一部を第３の記憶部に登録することができる場合がある。したがって、短縮ダイヤル用データの溢れを低減、防止できる。
【００４７】
また、短縮ダイヤルが例えば二つまたは三つ程度の数字の組合せによるものである一方、ワンタッチダイヤルは一つのみのキーでよいので、通常ワンタッチダイヤルの方が便利に用いることができる。
【００４８】
そこで、上述のように第３の記憶部に対して優先的に登録すれば、登録先である他のファクシミリ装置において、ワンタッチダイヤル用データの登録数が増加するので、より便利に用いることができる。
【００４９】
本発明に係るファクシミリ装置は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部と、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、上記第１の記憶部のデータおよび上記第２の記憶部のデータを、上記頻度測定部の計測した頻度の高い順に、上記第３の記憶部を優先するように登録する登録部とを備えていることを特徴としている。
【００５０】
上記ファクシミリ装置の短縮ダイヤル部は、例えば二つまたは三つ程度の数字の組合せによる、数字キーに対する選択を検出すると、その組合せによって指定される送信先のデータを第２の記憶部から読み出して、送信を行う。第２の記憶部には、短縮ダイヤル部が用いる送信先のデータ（短縮ダイヤル用データ）が記憶されている。なお、短縮ダイヤル部の機能は、さらに特殊キーと上述の数字の組合せとによって実現されてもよい。
【００５１】
また、ワンタッチダイヤル部は、数字キーとは独立に設けられたキーの一つに対する選択を検出すると、そのキーによって指定される送信先のデータを第１の記憶部から読み出して、送信を行う。第１の記憶部には、ワンタッチダイヤル部が用いる送信先のデータ（ワンタッチダイヤル用データ）が記憶されている。
【００５２】
また、頻度測定部は、第１の記憶部に記憶されているデータをワンタッチダイヤル部が用いる頻度を、送信先ごとに計測する。また、第２の記憶部に記憶されているデータを短縮ダイヤル部が用いる頻度を、送信先ごとに計測する。計測結果は、例えばその送信先ごとのデータとともに、第１の記憶部または第２の記憶部に記憶する。この頻度の測定は、どのように行うものであってもよい。例えばデータを用いる度に頻度を更新し、増加させてもよい。また、例えば、定期的に、不使用のデータの頻度を減少させてもよい。
【００５３】
上記ファクシミリ装置のワンタッチダイヤル用データ、短縮ダイヤル用データを、そのファクシミリ装置に接続された他のファクシミリ装置に登録する際には、第１の記憶部のワンタッチダイヤル用データおよび第２の記憶部に記憶されている短縮ダイヤル用データを、登録部が、頻度測定部の計測した頻度の高い順に、他のファクシミリ装置の第３の記憶部の空き領域および第４の記憶部の空き領域の少なくともいずれか一方に、第３の記憶部を優先するように登録する。
【００５４】
例えば、第１の記憶部のデータを頻度順に第３の記憶部に登録する。そして、さらに第２の記憶部のデータを頻度順に第３の記憶部に登録する。なお、第３の記憶部に登録できなかった分の第１の記憶部のデータは、頻度順に第４の記憶部に登録する。また、第３の記憶部に登録できなかった分の第２の記憶部のデータは、頻度順に第４の記憶部に登録する。
【００５５】
これによって、例えば、第２の記憶部のデータの容量が第４の記憶部の空き容量を超えている場合であっても、第２の記憶部のデータを第３の記憶部に優先して登録するので、超えた分のデータの少なくとも一部を第３の記憶部に登録することができる場合がある。したがって、短縮ダイヤル用データの溢れを低減、防止できる。
【００５６】
また、短縮ダイヤルが例えば二つまたは三つ程度の数字の組合せによるものである一方、ワンタッチダイヤルは一つのみのキーでよいので、通常ワンタッチダイヤルの方が便利に用いることができる。
【００５７】
そこで、上述のように第３の記憶部に対して優先的に登録すれば、登録先である他のファクシミリ装置において、ワンタッチダイヤル用データの登録数が増加するので、より便利に用いることができる。
【００５８】
また、頻度順に登録するので、ファクシミリ装置において使用頻度が高かったものを確実に他のファクシミリ装置に登録できる。このため、使い勝手を低下させない。また、他のファクシミリ装置における登録順序を、ファクシミリ装置における使用頻度に応じたものにできるので、使い勝手を向上できる。
【００５９】
このように、第１の記憶部、第２の記憶部に記憶されている状態を維持して第３の記憶部、第４の記憶部に登録するのではなく、例えば使用頻度に応じて登録順序を変更し、新たな登録順序として、使い勝手を向上させることもできる。
【００６０】
本発明に係るファクシミリ装置は、上記課題を解決するために、上記構成において、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、上記登録部が、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を、上記頻度測定部の計測した頻度の高い順に、上記第４の記憶部に登録することを特徴としている。
【００６１】
頻度測定部は、第１の記憶部に記憶されているデータをワンタッチダイヤル部が用いる頻度を、送信先ごとに計測する。また、第２の記憶部に記憶されているデータを短縮ダイヤル部が用いる頻度を、送信先ごとに計測する。計測結果は、例えばその送信先ごとのデータとともに、第１の記憶部または第２の記憶部に記憶する。この頻度の測定は、どのように行うものであってもよい。例えばデータを用いる度に頻度を更新し、増加させてもよい。また、例えば、定期的に、不使用のデータの頻度を減少させてもよい。
【００６２】
登録部は、第１の記憶部に記憶されているデータの容量が第３の記憶部の空き容量を超えており、かつ、第２の記憶部に記憶されているデータの容量が第４の記憶部の空き容量よりも小さいと検出されたときには、第１の記憶部に記憶されているデータの少なくとも一部を、上記頻度測定部の計測した頻度の高い順に、第４の記憶部に登録する。
【００６３】
例えば、第１の記憶部に記憶されているデータのうちの、第３の記憶部に登録できない分を、頻度測定部の計測した頻度の高い順に、第４の記憶部の空き領域に登録する。これによって、溢れたワンタッチダイヤル用データを低減し、または溢れたワンタッチダイヤル用データの発生を防止できる。また、頻度順に登録するので、ファクシミリ装置において使用頻度が高かったものを確実に他のファクシミリ装置に登録できる。このため、使い勝手を低下させない。
【００６４】
このように、登録できない分のワンタッチダイヤル用データを短縮ダイヤル用の領域に登録する場合、登録可能数の問題で必ず登録できるとは限らないので、使用頻度の高い順に登録する。これによって、ユーザの登録作業を軽減する。
【００６５】
なお、上記ファクシミリ装置は、上記構成において、登録できない分のワンタッチダイヤルを短縮ダイヤルへ登録する場合、登録できない分のワンタッチダイヤルの中で使用頻度の高いワンタッチダイヤルから順に短縮ダイヤルへ登録する構成である、と表現することもできる。
【００６６】
本発明に係るファクシミリ装置は、上記課題を解決するために、上記構成において、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、上記登録部が、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を、上記頻度測定部の計測した頻度の高い順に、上記第３の記憶部に登録することを特徴としている。
【００６７】
頻度測定部は、第１の記憶部に記憶されているデータをワンタッチダイヤル部が用いる頻度を、送信先ごとに計測する。また、第２の記憶部に記憶されているデータを短縮ダイヤル部が用いる頻度を、送信先ごとに計測する。計測結果は、例えばその送信先ごとのデータとともに、第１の記憶部または第２の記憶部に記憶する。この頻度の測定は、どのように行うものであってもよい。例えばデータを用いる度に頻度を更新し、増加させてもよい。また、例えば、定期的に、不使用のデータの頻度を減少させてもよい。
【００６８】
登録部は、第２の記憶部に記憶されているデータの容量が第４の記憶部の空き容量を超えており、かつ、第１の記憶部に記憶されているデータの容量が第３の記憶部の空き容量よりも小さいと検出されたときには、第２の記憶部に記憶されているデータの少なくとも一部を、上記頻度測定部の計測した頻度の高い順に、第３の記憶部に登録する。
【００６９】
例えば、第２の記憶部に記憶されているデータのうちの、第４の記憶部に登録できない分を、頻度測定部の計測した頻度の高い順に、第３の記憶部の空き領域に登録する。これによって、溢れた短縮ダイヤル用データを低減し、または溢れた短縮ダイヤル用データの発生を防止できる。また、頻度順に登録するので、ファクシミリ装置において使用頻度が高かったものを確実に他のファクシミリ装置に登録できる。このため、使い勝手を低下させない。
【００７０】
このように、登録できない分の短縮ダイヤル用データをワンタッチダイヤル用の領域に登録する場合、登録可能数の問題で必ず登録できるとは限らないので、使用頻度の高い順に登録する。これによって、ユーザの登録作業を軽減する。
【００７１】
なお、上記ファクシミリ装置は、上記構成において、登録できない分の短縮ダイヤルをワンタッチダイヤルへ登録する場合、登録できない分の短縮ダイヤルの中で使用頻度の高い短縮ダイヤルから順に短縮ダイヤルへ登録する構成である、と表現することもできる。
【００７２】
本発明に係るファクシミリ装置は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部と、上記ワンタッチダイヤル部が用いるデータが記憶される第１の記憶部と、上記短縮ダイヤル部が用いるデータが記憶される第２の記憶部とを備えるファクシミリ装置において、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部と、上記検出部によって、上記第１の記憶部に記憶されているデータの容量が上記第３の記憶部の空き容量よりも小さいと検出されたときには、上記第１の記憶部のデータを上記第３の記憶部に登録し、上記第２の記憶部に記憶されているデータを、上記頻度測定部の計測した頻度の高い順に、上記第３の記憶部の空き領域および上記第４の記憶部の空き領域の少なくともいずれか一方に、上記第３の記憶部を優先するようにして登録する登録部とを備えていることを特徴としている。
【００７３】
上記ファクシミリ装置の短縮ダイヤル部は、例えば二つまたは三つ程度の数字の組合せによる、数字キーに対する選択を検出すると、その組合せによって指定される送信先のデータを第２の記憶部から読み出して、送信を行う。第２の記憶部には、短縮ダイヤル部が用いる送信先のデータが記憶されている。なお、短縮ダイヤル部の機能は、さらに特殊キーと上述の数字の組合せとによって実現されてもよい。
【００７４】
また、ワンタッチダイヤル部は、数字キーとは独立に設けられたキーの一つに対する選択を検出すると、そのキーによって指定される送信先のデータを第１の記憶部から読み出して、送信を行う。第１の記憶部には、ワンタッチダイヤル部が用いる送信先のデータが記憶されている。
【００７５】
上記ファクシミリ装置のワンタッチダイヤル部のためのデータ、短縮ダイヤル部のためのデータを、そのファクシミリ装置に接続された他のファクシミリ装置に登録する際には、検出部が、他のファクシミリ装置の備える、ワンタッチダイヤル部の用いるデータを記憶するための第３の記憶部の空き容量を検出する。また、検出部は、上記の他のファクシミリ装置の備える、短縮ダイヤル部の用いるデータを記憶するための第４の記憶部の空き容量を検出する。
【００７６】
なお、空き容量の検出としては、例えばバイト単位での空き容量のサイズを検出してもよいし、または、記憶領域に登録可能なデータの数（登録可能数）として検出してもよい。また、上述した第３の記憶部、第４の記憶部における空き容量、空き領域は、データの全く登録されていない領域のみを指すものではなく、例えば上記他のファクシミリ装置には不要なデータが登録されており、上書きしてしまってもいい場合についても、空き領域に相当するものとする。また、第１の記憶部、第２の記憶部は、例えば不揮発性のメモリを用いて構成できる。
【００７７】
また、頻度測定部は、第１の記憶部に記憶されているデータをワンタッチダイヤル部が用いる頻度を、送信先ごとに計測する。また、第２の記憶部に記憶されているデータを短縮ダイヤル部が用いる頻度を、送信先ごとに計測する。計測結果は、例えばその送信先ごとのデータとともに、第１の記憶部または第２の記憶部に記憶する。この頻度の測定は、どのように行うものであってもよい。例えばデータを用いる度に頻度を更新し、増加させてもよい。また、例えば、定期的に、不使用のデータの頻度を減少させてもよい。
【００７８】
そして、登録部が、第１の記憶部に記憶されているデータを、第３の記憶部の空き領域に登録する。また、例えば、第２の記憶部に記憶されているデータを、第４の記憶部の空き領域に登録する。
【００７９】
ここで、登録部は、第１の記憶部に記憶されているデータの容量が第３の記憶部の空き容量よりも小さいと検出されたときには、第２の記憶部に記憶されているデータの少なくとも一部を、頻度測定部の計測した頻度の高い順に、まず第３の記憶部に登録する。
【００８０】
例えば、まず、第１の記憶部に記憶されているデータを、第３の記憶部の空き領域に登録する。そして、第３の記憶部の残った空き領域に、第２の記憶部のデータを頻度順に登録する。なお、第３の記憶部に登録できなかった分の第２の記憶部のデータは、第４の記憶部に例えば頻度順に登録する。
【００８１】
ここで、短縮ダイヤルが例えば二つまたは三つ程度の数字の組合せによるものである一方、ワンタッチダイヤルは一つのみのキーでよいので、通常ワンタッチダイヤルの方が便利に用いることができる。
【００８２】
そこで、上述のように、第２の記憶部のデータを第３の記憶部に対して優先的に登録すれば、登録先である他のファクシミリ装置において、ワンタッチダイヤル用データの登録数が増加するので、より便利に用いることができる。
【００８３】
また、頻度順に登録するので、ファクシミリ装置において使用頻度が高かったものを確実に他のファクシミリ装置に登録できる。このため、使い勝手を低下させない。また、他のファクシミリ装置における登録順序を、ファクシミリ装置における使用頻度に応じたものにできるので、使い勝手を向上できる。
【００８４】
また、第１の記憶部のデータを登録した上で、第２の記憶部のデータを第３の記憶部に優先的に登録するので、溢れた短縮ダイヤル用データを低減し、または溢れた短縮ダイヤル用データの発生を防止できる。
【００８５】
このように、ワンタッチダイヤルの方が短縮ダイヤルより利便性が高いため、良く使う短縮ダイヤルをワンタッチダイヤル用に登録し直すことで、ユーザの利便性を図る。なお、上述した構成のうちの一つとの違いは、上述の構成においては、データの移行時に短縮ダイヤルの数がオーバーすることが条件となるが、本件は、オーバーする条件に関係なく、短縮ダイヤル用データをワンタッチダイヤル用の領域に登録している点にある。
【００８６】
なお、上記ファクシミリ装置は、第一のファクシミリ装置のワンタッチダイヤル用データと短縮ダイヤル用データとを、第二のファクシミリ装置に登録する場合、ワンタッチダイヤルに空きがある場合、使用頻度に順に第一のファクシミリ装置の短縮ダイヤル用データを第二のファクシミリ装置のワンタッチダイヤル用領域に登録する構成である、と表現することもできる。
【００８７】
本発明に係るファクシミリ装置は、上記課題を解決するために、上記構成において、複数の送信先への同時送信を行うために、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、所定のキーに対する選択を検出すると上記キーによって指定される上記複数の送信先への送信を行うグループダイヤル部を備え、上記登録部が、上記ワンタッチダイヤル部の用いるデータまたは上記短縮ダイヤル部の用いるデータの、上記他のファクシミリ装置への登録に応じて、上記グループダイヤル部における、上記ワンタッチダイヤル番号または上記短縮ダイヤル番号を修正して、上記他のファクシミリ装置に登録することを特徴としている。
【００８８】
上記構成において、ファクシミリ装置のグループダイヤル部は、ワンタッチダイヤル番号、短縮ダイヤル番号、またはファクシミリ番号自身を用いて、複数の送信先を、一つのグループダイヤル番号に割り当てて登録する。ファクシミリ装置は、グループダイヤル番号に対する選択を検出すると、複数の送信先への同時送信を行う。
【００８９】
ここで、上記ファクシミリ装置が、他のファクシミリ装置に対して、ワンタッチダイヤル用データ、短縮ダイヤル用データを登録したときには、登録先でのワンタッチダイヤル番号、短縮ダイヤル番号の変更に応じて、グループダイヤル用データのワンタッチダイヤル番号、短縮ダイヤル番号を修正する。そして、修正したグループダイヤル用データを、上記の他のファクシミリ装置に登録する。このようにすれば、他のファクシミリ装置においてもグループダイヤル用データを使用できる。また、グループダイヤル用データの再設定を防止できる。
【００９０】
なお、複数の送信先への同時送信とは、厳密に同時の送信に限るものではなく、複数の送信先への一つの選択によって、複数の送信先への順次の送信が行われるものであってもよい。すなわち、同時送信を同報送信と表現してもよい。
【００９１】
なお、上記ファクシミリ装置を、例えば、ワンタッチダイヤルと短縮ダイヤルとテンキーダイヤルの何れかの組合せによる構成からなるグループダイヤルを第一のファクシミリ装置から第二のファクシミリ装置に登録する場合、第一のファクシミリ装置のグループダイヤルを構成しているワンタッチダイヤルが第二のファクシミリ装置のワンタッチダイヤルに登録できずに短縮ダイヤルに空きがある場合、該ワンタッチダイヤルを第二のファクシミリ装置の短縮ダイヤルに登録変更するのと同時にグループダイヤルの構成も連動して登録変更する構成である、と表現することもできる。
【００９２】
また、上記ファクシミリ装置を、例えば、ワンタッチダイヤルと短縮ダイヤルとテンキーダイヤルの何れかの組合せによる構成からなるグループダイヤルを第一のファクシミリ装置から第二のファクシミリ装置に登録する場合、第一のファクシミリ装置のグループダイヤルを構成している短縮ダイヤルが第二のファクシミリ装置の短縮ダイヤルに登録できずにワンタッチダイヤルに空きがある場合、該短縮ダイヤルを第二のファクシミリ装置のワンタッチダイヤルに登録変更するのと同時にグループダイヤルの構成も連動して登録変更する構成である、と表現することもできる。
【００９３】
本発明に係るファクシミリ装置は、上記課題を解決するために、上記構成において、上記登録部の登録結果に応じて、上記第３の記憶部および上記第４の記憶部に登録されたデータを印刷する印刷部を備えていることを特徴としている。
【００９４】
上記構成によれば、例えばファクシミリ装置から他のファクシミリ装置へと登録した内容に、変更、削除等があった場合であっても、登録内容が印刷されるので、確認を簡単に行うことができる。また、他のファクシミリ装置の操作をスムーズに行える。
【００９５】
また、上記構成において、ファクシミリ装置は、登録部の登録結果に応じて、第１の記憶部のデータと第３の記憶部のデータとに違いがある場合、または第２の記憶部のデータと第４の記憶部のデータとに違いがある場合のみ、第３の記憶部および第４の記憶部に登録されたデータを印刷する構成であってもよい。または、違いがある場合に、その違う部分のみを印刷する構成であってもよい。この構成であれば、変更などの確認をさらに容易にできる。
【００９６】
本発明に係るファクシミリ装置は、上記課題を解決するために、数字キーの組合せによる短縮ダイヤル番号に対する選択を検出すると上記短縮ダイヤル番号によって指定される送信先への送信を行う短縮ダイヤル部と、上記数字キーとは独立して設けられた複数のキーのうちの一つのキーによるワンタッチダイヤル番号に対する選択を検出すると上記ワンタッチダイヤル番号によって指定される送信先への送信を行うワンタッチダイヤル部と、複数の送信先への同時送信を行うために、所定のキーによって指定されるグループダイヤル番号として、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、上記グループダイヤル番号に対する選択を検出すると、上記グループダイヤル番号によって指定される上記複数の送信先への送信を行うグループダイヤル部とを備えているファクシミリ装置において、ファクシミリ装置本体と接続された他のファクシミリ装置に対して、上記ワンタッチダイヤル部が用いるデータおよび上記短縮ダイヤル部が用いるデータを登録する登録部を備え、上記登録部は、上記他のファクシミリ装置の有する記憶領域に応じて、上記ワンタッチダイヤル部が用いるデータを上記他のファクシミリ装置の短縮ダイヤル部用の記憶領域に登録するとともに上記ワンタッチダイヤル用番号を短縮ダイヤル用番号として登録し、または上記短縮ダイヤル部が用いるデータを上記他のファクシミリ装置のワンタッチダイヤル部用の記憶領域に登録するとともに上記短縮ダイヤル用番号をワンタッチダイヤル用番号として登録し、上記登録部は、上記他のファクシミリ装置において登録した上記ワンタッチダイヤル番号または上記短縮ダイヤル番号に応じて、上記グループダイヤル部の用いるデータを修正して、上記他のファクシミリ装置に対して登録することを特徴としている。
【００９７】
上記ファクシミリ装置は、他のファクシミリ装置に対して、ワンタッチダイヤル部が用いるデータおよび短縮ダイヤル部が用いるデータを登録する。
【００９８】
その際に、他のファクシミリ装置の有する記憶領域に応じて、例えば、ワンタッチダイヤル部が用いるデータを他のファクシミリ装置の短縮ダイヤル部用の記憶領域に登録する。この場合には、ワンタッチダイヤル用番号で指定していた送信先を、短縮ダイヤル用番号に修正する。または、例えば、短縮ダイヤル部が用いるデータを他のファクシミリ装置のワンタッチダイヤル部用の記憶領域に登録する。この場合には、短縮ダイヤル用番号で指定していた送信先を、ワンタッチダイヤル用番号に修正する。
【００９９】
そして、登録部は、ワンタッチダイヤル用番号、短縮ダイヤル用番号の修正に応じた修正を行った上で、グループダイヤル用データを上記他のファクシミリ装置に対して登録する。このように、ワンタッチダイヤル用データや短縮ダイヤル用データの転送に応じて、グループダイヤル用データを修正すれば、グループダイヤル用データを他のファクシミリ装置に登録して、他のファクシミリ装置において用いることができる。また、グループダイヤル用データの再設定を防止できる。
【０１００】
なお、複数の送信先への同時送信とは、厳密に同時の送信に限るものではなく、複数の送信先への一つの選択によって、複数の送信先への順次の送信が行われるものであってもよい。すなわち、同時送信を同報送信と表現してもよい。
【０１０１】
本発明に係るファクシミリ装置は、上記課題を解決するために、上記構成において、上記登録部は、上記ワンタッチダイヤル部が用いるデータの少なくとも一部、または上記短縮ダイヤル部が用いるデータの少なくとも一部が、上記他のファクシミリ装置において登録することができなかったときに、上記グループダイヤル部の用いるデータのうちの一部についても登録することができなかった場合には、その一部のデータについては、送信先のファクシミリ番号を用いて番号登録することを特徴としている。
【０１０２】
ここで、グループダイヤル部は、ワンタッチダイヤル用番号、短縮ダイヤル用番号、またはファクシミリ番号のいずれかを用いて送信先を登録している。
【０１０３】
そこで、グループダイヤル部による複数の送信先のうち、ワンタッチダイヤル用番号、短縮ダイヤル用番号を用いて登録されていた送信先について、他のファクシミリ装置への登録の際に、例えば記憶容量の都合で、ワンタッチダイヤル用番号、短縮ダイヤル用番号を用いて登録することができなかった場合には、ファクシミリ番号を用いて登録するようにする。このようにすれば、登録先の他のファクシミリ装置においても、グループダイヤルを用いることができる。
【０１０４】
なお、上記ファクシミリ装置を、例えば、ワンタッチダイヤルと短縮ダイヤルとテンキーダイヤルの何れかの組合せによる構成からなるグループダイヤルを第一のファクシミリ装置から第二のファクシミリ装置に登録する場合、第一のファクシミリ装置のグループダイアルを構成しているワンタッチダイヤルが第二のファクシミリ装置のワンタッチダイヤルに登録できずに短縮ダイヤルに空きが無い場合、該ワンタッチダイヤルを第二のファクシミリ装置の番号登録としてグループダイヤルの構成を登録変更する構成である、と表現することもできる。
【０１０５】
また、上記ファクシミリ装置を、例えば、ワンタッチダイヤルと短縮ダイヤルとテンキーダイヤルの何れかの組合せによる構成からなるグループダイヤルを第一のファクシミリ装置から第二のファクシミリ装置に登録する場合、第一のファクシミリ装置のグループダイヤルを構成している短縮ダイヤルが第二のファクシミリ装置の短縮ダイヤルに登録できずにワンタッチダイヤルに空きが無い場合、該短縮ダイヤルを第二のファクシミリ装置の番号登録としてグループダイヤルの構成を登録変更する構成である、と表現することもできる。
【０１０６】
本発明に係るファクシミリ装置は、上記課題を解決するために、上記構成において、上記登録部は、上記他のファクシミリ装置において登録され、変更された上記ワンタッチダイヤル番号、上記短縮ダイヤル番号に応じて修正した上記グループダイヤル部の用いるデータが、上記他のファクシミリ装置のグループダイヤル部の用いる記憶部の記憶容量を超えていて記憶できなかった場合に、上記記憶できなかった上記グループダイヤル番号は上記他のファクシミリ装置に登録しないことを特徴としている。
【０１０７】
このように、グループダイヤル部の用いるデータを、他のファクシミリ装置に登録できなかった場合には、そのグループダイヤル番号の登録をやめて、他のファクシミリ装置に登録しない。したがって、グループダイヤル用データの移行の際、グループダイヤル用データの抜けを防止できる。
【０１０８】
本発明に係るファクシミリ装置は、上記課題を解決するために、上記構成において、上記登録部の登録結果に応じて、上記グループダイヤル部に記憶されていたデータを印刷する印刷部を備えていることを特徴としている。
【０１０９】
このように印刷すれば、グループダイヤル用データの抜けを確実に把握できる。すなわち、例えば、上述のように、グループダイヤル部の用いるデータを、他のファクシミリ装置に登録できなかった場合に、そのグループダイヤル番号の登録をやめて、他のファクシミリ装置に登録しないときには、印刷を行う。したがって、グループダイヤル用データの抜けを確実に把握できる。
【０１１０】
本発明に係るファクシミリ装置のデータ登録方法は、上記課題を解決するために、数字キーに対する選択を検出すると上記数字キーの組合せによって指定される送信先への送信を行う短縮ダイヤル部と、上記数字キーとは独立して設けられた複数のキーのうちの一つのキーに対する選択を検出すると選択されたキーによって指定される送信先への送信を行うワンタッチダイヤル部とを備える第１のファクシミリ装置における、短縮ダイヤル部の用いるデータとワンタッチダイヤル部の用いるデータとを、短縮ダイヤル部とワンタッチダイヤル部とを備える第２のファクシミリ装置に登録するための、ファクシミリ装置のデータ登録方法において、第１のファクシミリ装置の短縮ダイヤル部の用いるデータの少なくとも一部を第２のファクシミリ装置のワンタッチダイヤル部の用いる記憶領域に登録する工程、または、第１のファクシミリ装置のワンタッチダイヤル部の用いるデータの少なくとも一部を第２のファクシミリ装置の短縮ダイヤル部の用いる記憶領域に登録する工程を含んでいることを特徴としている。
【０１１１】
この構成であれば、例えば、第１のファクシミリ装置のワンタッチダイヤル用データの容量が、第２のファクシミリ装置のワンタッチダイヤル部の用いる記憶領域の空き容量を超えている場合に生ずる、溢れたワンタッチダイヤル用データを低減、防止できる。また、例えば、第１のファクシミリ装置の短縮ダイヤル用データの容量が、第２のファクシミリ装置の短縮ダイヤル部の用いる記憶領域の空き容量を超えている場合に生ずる、溢れた短縮ダイヤル用データを低減、防止できる。
【０１１２】
なお、上述のデータ登録方法は、第１のファクシミリ装置が行うものに限るものではない。例えば、第２のファクシミリ装置が行う、データ取得方法であってもよい。または、第１のファクシミリ装置と第２のファクシミリ装置とに接続された、例えばホストコンピュータが行うものであってもよい。
【０１１３】
【発明の実施の形態】
〔実施の形態１〕
本実施の形態のファクシミリ装置は、自身の保持するワンタッチダイヤル用データ、短縮ダイヤル用データについて、他のファクシミリ装置へと転送して登録する際には、記憶されているデータの状態をできるだけ維持した上で、そのままでは登録できないときに特別な処理を行う構成である。
【０１１４】
本発明の一実施の形態について図１ないし図７に基づいて説明すると以下の通りである。
【０１１５】
本実施形態に係るファクシミリ装置（第１のファクシミリ装置）１は、図２に示すように、制御部２、操作・表示部（短縮ダイヤル部、ワンタッチダイヤル部）３、データ登録部（検出部、登録部）４、データ管理部（第１の記憶部、第２の記憶部）５、スキャナ部６、印刷部７および通信制御部８を備えている。
【０１１６】
ファクシミリ装置１は、通信回線を介して他の装置と原稿データの送受信を行うことのできるファクシミリ装置である。例えば、ファクシミリ装置１は、ファクシミリ装置（他のファクシミリ装置、第２のファクシミリ装置、第３の記憶部、第４の記憶部）１０と接続して、原稿データの送受信を行う。
【０１１７】
また、ファクシミリ装置１は、短縮ダイヤル機能とワンタッチダイヤル機能とを備えている。
【０１１８】
短縮ダイヤルとは、装置に備えられた数字キー（テンキー）に対して、通常二つまたは三つ程度の数字の組合せを順に押すことによって、特定の送信先へのファクシミリ送信を行うことのできる機能である。この数字の組合せは、通常、送信先のファクシミリ装置の電話番号（ＦＡＸ番号）よりも短いため、短縮ダイヤルを登録すると送信を容易にできる。例えば、送信を行う頻度の高い送信先について短縮ダイヤルを登録すれば、送信を容易にして、仕事の効率を高めることができる。なお、短縮ダイヤルは、数字キーの組合せのみに限るものではなく、さらに何らかの特殊キーと数字キーの組合せとによって機能するものであってもよい。
【０１１９】
一方、ワンタッチダイヤルとは、数字キーとは独立に設けられた特別のキーを一つ選択することによって、特定の送信先へのファクシミリ送信を行うことのできる機能である。このように、キー一つのみによって送信を行うことができるため、短縮ダイヤルよりも送信を容易にできる。例えば、送信を行う頻度の非常に高い送信先についてワンタッチダイヤルを登録すれば、送信をさらに容易にして、仕事の効率をより高めることができる。
【０１２０】
また、ファクシミリ装置１は、登録した短縮ダイヤルやワンタッチダイヤルなどのデータを、例えばファクシミリ装置１０のような他のファクシミリ装置に接続して、そのファクシミリ装置に対して登録することができる。例えば新規に購入したファクシミリ装置を、図２に示すファクシミリ装置１０のように接続して、短縮ダイヤルやワンタッチダイヤルなどのデータを登録する。
【０１２１】
ファクシミリ装置１の制御部２は、ファクシミリ装置１の制御を行うためのものである。
【０１２２】
操作・表示部３は、ファクシミリ装置１の操作を行うための操作部と、ファクシミリ装置１の状態を表示する表示部とが一体となった、タッチパネルである。操作・表示部３は、ユーザによる、ファクシミリ装置１を用いた送信、動作設定などの指示を検出して、制御部２へと出力する。また、操作・表示部３は、制御部２から出力されるファクシミリ装置１の動作状態を、タッチパネル上に表示する。
【０１２３】
また、操作・表示部３は、短縮ダイヤルに用いるための数字キー０〜９と、ワンタッチダイヤルに用いるためのワンタッチダイヤルキーＡ〜Ｊとを、それぞれ備えている。この短縮ダイヤル用のキー、ワンタッチダイヤル用のキーは、上記したタッチパネル上に実現されていてもよい。また、ワンタッチダイヤルキーＡ〜Ｊは、他の特殊キーとの組合せによって、例えば他のワンタッチダイヤルキーＫ〜Ｔとして機能するものであってもよい。また、上記したタッチパネル上にワンタッチダイヤルキーＡ〜Ｊが実現されているときには、他の特殊キーを押すことによって、ワンタッチダイヤルキーＡ〜Ｊが例えば他のワンタッチダイヤルキーＫ〜Ｔとして機能するものであってもよい。
【０１２４】
データ登録部４は、短縮ダイヤルやワンタッチダイヤルなどのための送信先ごとのデータを、データ管理部５に登録するためのものである。データ登録部４は、ユーザによってデータ登録のための設定が選択されると、データ登録のためのメニューを操作・表示部３に表示させる。データ登録部４は、ユーザからの入力データが検出されるとデータ管理部５に所定の形式で保存する。
【０１２５】
また、データ登録部４は、図１に示すファクシミリ装置１０のような、他のファクシミリ装置に対して、短縮ダイヤルやワンタッチダイヤルなどのデータを登録する。このような他の装置への登録の詳細については、後述する。
【０１２６】
データ管理部５は、ファクシミリ装置１におけるワンタッチダイヤルや短縮ダイヤルなどのための、送信先ごとのデータを記憶する記憶部である。
【０１２７】
スキャナ部６は、送信する原稿を読取るための読取部である。印刷部７は、画像データを印刷するためのものである。印刷部７は例えば受信した原稿データを印刷する。通信制御部８は、送信および受信におけるデータ転送を制御するためのものである。
【０１２８】
上記構成のファクシミリ装置１は、原稿データを送信する際には、例えばユーザによる操作・表示部３のワンタッチダイヤルキーの選択を検出して、選択された送信先と通信制御部８を介して接続する。また、制御部２の制御によってスキャナ部６にて原稿データを読取って、得た画像データを制御部２にて符号化して通信制御部８から出力する。
【０１２９】
また、ファクシミリ装置１は、原稿データを受信する際には、符号化された画像データを通信制御部８にて受信し、制御部２にて復号して印刷部７から印刷出力する。
【０１３０】
次に、ファクシミリ装置１における、短縮ダイヤルやワンタッチダイヤルなどのデータの格納状態について、図３に基づいて説明する。
【０１３１】
図３は、ファクシミリ装置１のデータ管理部５に格納されているデータの一部の一例を示すものである。データは、種別、ワンタッチ（短縮）番号、宛先名称、宛先名称読み仮名、電話（ＦＡＸ）番号、通信属性などの項目を含んでいる。なお、図３に示す項目は一例であり、他の項目を含んでいてもよい。
【０１３２】
データの項目のうちの種別は、短縮ダイヤルのデータか、またはワンタッチダイヤルのデータかを示すものである。
【０１３３】
また、ワンタッチ（短縮）番号は、短縮ダイヤルまたはワンタッチダイヤルとして用いる際に押すキーを示している。図３に示す一例では、短縮ダイヤルを用いるためには１、２、３のキーを順次押すことになる。また、ワンタッチダイヤルを用いるためには、Ａのキーを押すことになる。
【０１３４】
宛先名称は、漢字による送信先の名称であり、宛先名称読み仮名は、送信先の名称の読み仮名である。また、項目のうちの電話番号は、送信先のＦＡＸ番号を意味する。なお、この項目に加えて、送信先の通話用の電話番号の項目を含めてもよい。また、通信属性は、ＦＡＸ送信における通信速度などを指定するものである。
【０１３５】
また、ファクシミリ装置１のデータ管理部５に登録されている送信先（宛先）ごとのデータは、例えば、図示しない、互いに異なるＩＤによって区別されるようになっている。
【０１３６】
なお、本実施形態においては、短縮ダイヤルとワンタッチダイヤルとで、送信先ごとのデータ構成がほぼ同じとなっているが、本発明はこれに限るものではない。また、送信先ごとのデータ構成が短縮ダイヤルとワンタッチダイヤルとで異なる場合には、データ登録部４が適当に項目を対応づけて、データを変換してもよい。しかしながら、上述のように、短縮ダイヤルとワンタッチダイヤルとで、それぞれデータの項目が同じであれば、項目を対応づける必要がなく、流用も容易となる。
【０１３７】
次に、上述のようにファクシミリ装置１に登録されているデータを、図２に示すファクシミリ装置１０のような他のファクシミリ装置に対して登録する構成について説明する。
【０１３８】
まず、第１の例として、ファクシミリ装置１のデータ管理部５には、図１に示すように、ワンタッチダイヤル用のデータが５０の送信先について登録され、また短縮ダイヤル用のデータが６０の送信先について登録されているとする。ここで、例えば図１において「ワンタッチ１」として示すのが、ＩＤ番号を１としたワンタッチダイヤル用データに相当する。なお、ファクシミリ装置１のデータ管理部５における、ワンタッチダイヤル用のデータ、または短縮ダイヤル用のデータを登録することのできる登録可能数は、それぞれ５０以上、または６０以上であればよく、特に指定されない。
【０１３９】
また、ファクシミリ装置１０における、ワンタッチダイヤル用のデータの登録可能数は６０であり、短縮ダイヤル用のデータの登録可能数は５０であるとする。
【０１４０】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０１４１】
ここで、ファクシミリ装置１のデータ管理部５に記憶されている短縮ダイヤル用のデータの容量（６０個分）は、ファクシミリ装置１０の備えている短縮ダイヤル用の記憶領域の容量（５０個分）を超えている。また、ファクシミリ装置１のデータ管理部５に記憶されているワンタッチダイヤル用のデータの容量（５０個分）は、ファクシミリ装置１０の備えているワンタッチダイヤル用の記憶領域の容量（６０個分）よりも小さい。
【０１４２】
このとき、ファクシミリ装置１のデータ登録部４は、ファクシミリ装置１からファクシミリ装置１０へと、ワンタッチダイヤルのＩＤが１〜５０の分（ワンタッチ１〜５０）を転送し、ワンタッチ１〜５０として登録する（Ｐ１）。次に、ファクシミリ装置１からファクシミリ装置１０へと、短縮ダイヤルのＩＤが１〜５０の分（短縮１〜５０）を転送し、短縮１〜５０として登録する（Ｐ２）。
【０１４３】
次に、ファクシミリ装置１においてまだ転送されていない短縮ダイヤルのＩＤが５１〜６０の分（短縮５１〜６０）を転送し、ファクシミリ装置１０において使用されていない、ワンタッチダイヤル用の記憶領域（ワンタッチ５１〜６０）に登録する。
【０１４４】
これによって、ファクシミリ装置１のデータを、他のファクシミリ装置１０に対して登録できる。また、ファクシミリ装置１とファクシミリ装置１０とで、互いに短縮ダイヤル用のデータの登録可能数、ワンタッチダイヤル用のデータの登録可能数が異なる場合であっても、そのままでは登録できなかった短縮ダイヤルのデータ（短縮５１〜６０）を空いているワンタッチダイヤル用の記憶領域（ワンタッチ５１〜６０）に登録して、登録できないデータの発生を防止できる。
【０１４５】
なお、上述のように図１を参照して説明した一例においては、転送先のファクシミリ装置１０の記憶領域にはそもそもデータが登録されておらず、空き領域であるものとして説明したが、本発明はこれに限るものではない。ファクシミリ装置１０の記憶領域には、ファクシミリ装置１０の固有のデータが記憶されていてもよい。この場合でも、ファクシミリ装置１０の記憶領域の空き領域について、上述した図１と同様の処理を行って、同様の効果を得ることができる。
【０１４６】
次に、このような登録を実行する手順の一例の概略について図４に基づいて説明する。
【０１４７】
ファクシミリ装置１を交換（転送）元、ファクシミリ装置１０を交換（転送）先とする。まず、ファクシミリ装置１においては、データ管理部５に記憶しているワンタッチダイヤル用のデータの数、短縮ダイヤル用のデータの数をそれぞれ判別する。次に、図４に示すように、Ｓ１において、登録するためのデータを交換元にて一つ選択して取り出す。Ｓ２において、このデータの種別（短縮ダイヤル用か、またはワンタッチダイヤル用か）に応じて、各データに転送用ＩＤ番号を付す。例えば、ワンタッチダイヤル用のデータであれば、ワンタッチダイヤル用のＩＤ番号をそのまま転送用ＩＤ番号とし、また短縮ダイヤル用のデータであれば、ワンタッチダイヤル用のデータの総数に短縮ダイヤル用のＩＤ番号を加えたものを転送用ＩＤ番号とする。
【０１４８】
Ｓ３においては、ファクシミリ装置１のデータ登録部４が、ファクシミリ装置１０に備えられた短縮ダイヤル用の記憶領域の容量、ワンタッチダイヤル用の記憶領域の容量を検出し、検出した容量に応じて、転送するデータの格納位置を計算する。例えば、ファクシミリ装置１０におけるワンタッチダイヤル用の記憶領域の容量が、ファクシミリ装置１０におけるワンタッチダイヤル用のデータの総数よりも小さい場合には、以前に計算した転送用ＩＤ番号からファクシミリ装置１０のワンタッチダイヤル用の記憶領域の容量に応じた個数を引いた値を、ファクシミリ装置１０における短縮ダイヤル用のＩＤ番号とする。このように得た、ファクシミリ装置１０におけるワンタッチダイヤル用のＩＤ番号、または短縮ダイヤル用のＩＤ番号が、転送するデータの格納位置に相当する。なお、Ｓ４においては、Ｓ１にて選択したデータを転送して、Ｓ３にて求めたＩＤ番号の位置へと格納する。また、Ｓ３にて、記憶容量が不足するためにファクシミリ装置１０に格納することができないと判別された場合には、Ｓ４では何もしない。
【０１４９】
Ｓ５では、ファクシミリ装置１において未処理のデータがあるか否かを判別し、未処理のデータがある場合にはＳ１に戻り、全てのデータについて処理が済んでいる場合には処理を終了する。
【０１５０】
次に、ファクシミリ装置１に登録されているデータを、他のファクシミリ装置１０に登録する第２の例について、図５に基づいて説明する。
【０１５１】
この例においては、ファクシミリ装置１のデータ管理部５には、ワンタッチダイヤル用のデータが２３の送信先について登録され、また短縮ダイヤル用のデータが５０の送信先について登録されているとする。
【０１５２】
また、ファクシミリ装置１０における、ワンタッチダイヤル用のデータの登録可能数は２０であり、短縮ダイヤル用のデータの登録可能数は１００であるとする。
【０１５３】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０１５４】
ここで、ファクシミリ装置１のデータ管理部５に記憶されているワンタッチダイヤル用のデータの容量（２３個分）は、ファクシミリ装置１０の備えているワンタッチダイヤル用の記憶領域の容量（２０個分）を超えている。また、ファクシミリ装置１のデータ管理部５に記憶されている短縮ダイヤル用のデータの容量（５０個分）は、ファクシミリ装置１０の備えている短縮ダイヤル用の記憶領域の容量（１００個分）よりも小さい。
【０１５５】
このとき、ファクシミリ装置１のデータ登録部４は、まずファクシミリ装置１からファクシミリ装置１０へと、ワンタッチダイヤルのＩＤが１〜２０の分（ワンタッチ１〜２０）を転送し、ワンタッチ１〜２０として登録する（Ｐ４）。次に、ファクシミリ装置１からファクシミリ装置１０へと、短縮ダイヤルのＩＤが１〜５０の分（短縮１〜５０）を転送し、短縮１〜５０として登録する（Ｐ２）。
【０１５６】
次に、ファクシミリ装置１においてまだ転送されていないワンタッチダイヤルのＩＤが２１〜２３の分（ワンタッチ２１〜２３）を転送し、ファクシミリ装置１０において使用されていない、短縮ダイヤル用の記憶領域（短縮５１〜５３）に登録する。なお、ファクシミリ装置１０における短縮ダイヤル用の記憶領域（短縮５３〜１００）は、空いたままとなる。
【０１５７】
これによって、ファクシミリ装置１のデータを、他のファクシミリ装置１０に対して登録できる。また、ファクシミリ装置１とファクシミリ装置１０とで、互いに短縮ダイヤル用のデータの登録可能数、ワンタッチダイヤル用のデータの登録可能数が異なる場合であっても、そのままでは登録できなかったワンタッチダイヤルのデータ（ワンタッチ２１〜２３）を空いている短縮ダイヤル用の記憶領域（短縮５１〜５３）に登録して、登録できないデータの発生を防止できる。
【０１５８】
次に、本実施形態のファクシミリ装置１における処理の一例について、図６に基づいて詳細に説明する。
【０１５９】
ファクシミリ装置１のデータ登録部４は、Ｓ６にて、データ管理部５のワンタッチダイヤル用の記憶領域に記憶しているデータのうち、ファクシミリ装置１０に転送して登録するか否かを判別していない、未処理のデータがあるか否かを判別する。未処理のデータがない場合にはＳ１１に進む。
【０１６０】
未処理のデータがある場合にはＳ７に進んで、未処理のデータのうちから一つを選択し、Ｓ８に進む。Ｓ８においては、ファクシミリ装置１０のワンタッチダイヤル用の記憶領域に、例えばデータの記憶されていない空き領域があるか否かを判別する。Ｓ８において記憶領域に空きがあると判別された場合には、Ｓ９に進んで、Ｓ７にて選択したデータをＳ８にて判別した空き領域に登録し、Ｓ６に戻る。一方、Ｓ８において記憶領域に空きがないと判別された場合には、Ｓ１０に進んでそのデータについては登録をしないこととして（登録取り消し）、Ｓ１１に進む。
【０１６１】
Ｓ１１においては、データ管理部５の短縮ダイヤル用の記憶領域に記憶しているデータのうち、未処理のデータがあるか否かを判別する。未処理のデータがない場合にはＳ１６に進む。未処理のデータがある場合にはＳ１２に進んで、短縮ダイヤル用のデータを一つ選択し、Ｓ１３に進む。
【０１６２】
Ｓ１３においては、転送先であるファクシミリ装置１０の短縮ダイヤル用の記憶領域に、空き領域があるか否かを判別する。Ｓ１３において記憶領域に空きがある場合には、Ｓ１４に進んで、Ｓ１２にて選択したデータをＳ１３にて判別した空き領域に登録し、Ｓ１１に戻る。一方、Ｓ１３において記憶領域に空きがない場合には、Ｓ１５に進んでそのデータの登録を一旦取り消して、Ｓ１６に進む。このように、データ一つずつについて、相手先の空き領域の有無を判別して登録を行う構成であってもよい。
【０１６３】
次に、Ｓ１６においては、ファクシミリ装置１のデータ管理部５のワンタッチダイヤル用の記憶領域に記憶しているデータのうち、ファクシミリ装置１０の記憶領域にまだ登録していないもの（溢れたワンタッチダイヤル用データ）があるか否かを判別する。溢れたワンタッチダイヤル用データがある場合にはＳ１７に進み、溢れたワンタッチダイヤル用データがない場合にはＳ１９に進む。
【０１６４】
なお、Ｓ１１またはＳ１５から初めてＳ１６に進んだときは、Ｓ８にて記憶領域に空きがないと判別され、Ｓ１０において登録が取り消されたデータがあるか否かを判別するようにしてもよい。Ｓ１０において登録が取り消されたデータがある場合にはＳ１６からＳ１７に進み、Ｓ１０において登録が取り消されたデータがない場合にはＳ１６からＳ１９に進む。
【０１６５】
Ｓ１７においては、Ｓ１３にて判別したのと同様に、転送先であるファクシミリ装置１０の短縮ダイヤル用の記憶領域に、空き領域があるか否かを判別する。空き領域がある場合にはＳ１８に進み、空き領域がない場合にはＳ１９に進む。
【０１６６】
Ｓ１７において空き領域があった場合のＳ１８では、Ｓ１６にて判別した溢れたワンタッチダイヤル用データを、Ｓ１７にて判別した空き領域に登録し、Ｓ１６に戻る。
【０１６７】
Ｓ１９では、ファクシミリ装置１のデータ管理部５の短縮ダイヤル用の記憶領域に記憶しているデータのうち、ファクシミリ装置１０の記憶領域にまだ登録していないもの（溢れた短縮ダイヤル用データ）があるか否かを判別する。溢れた短縮ダイヤル用データがある場合にはＳ２０に進み、溢れた短縮ダイヤル用データがない場合にはＳ２２に進む。
【０１６８】
Ｓ２０においては、転送先であるファクシミリ装置１０のワンタッチダイヤル用の記憶領域に、空き領域があるか否かを判別する。空き領域がある場合にはＳ２１に進み、空き領域がない場合にはＳ２２に進む。
【０１６９】
Ｓ２０において空き領域があった場合のＳ２１では、Ｓ１９にて判別した溢れた短縮ダイヤル用データを、Ｓ２０にて判別した空き領域に登録し、Ｓ１９に戻る。
【０１７０】
Ｓ２２においては、データ登録部４の登録結果としての、ファクシミリ装置１からファクシミリ装置１０へと転送した各データについて、例えばワンタッチダイヤルキーと送信先、または短縮ダイヤル番号と送信先との対応関係を、印刷出力する。印刷は、ファクシミリ装置１の印刷部７が行ってもよいし、またはファクシミリ装置１０の印刷部が行ってもよい。このように印刷を行えば、データの転送結果を容易に確認できる。
【０１７１】
このように、Ｓ６〜Ｓ１０の処理によって、ファクシミリ装置１のワンタッチダイヤル用のデータを、できるだけそのまま元の状態を維持して、ファクシミリ装置１０のワンタッチダイヤル用の記憶領域に登録する。また、Ｓ１１〜Ｓ１５の処理によって、ファクシミリ装置１の短縮ダイヤル用のデータを、できるだけそのまま元の状態を維持して、ファクシミリ装置１０の短縮ダイヤル用の記憶領域に登録する。これによって、転送先のファクシミリ装置１０においても、使い勝手を維持できる。
【０１７２】
また、その後のＳ１６〜Ｓ１８、Ｓ１９〜Ｓ２１の各工程によって、溢れたデータであっても、接続先の空き領域に登録するので、データの転送における溢れを低減、防止することができる。
【０１７３】
なお、Ｓ６〜Ｓ１０の各ステップにおける処理は、例えば上述した図１、図５のように、一旦ファクシミリ装置１０におけるワンタッチダイヤル用の記憶領域の容量を検出した上で、図１のＰ１、図５のＰ４として説明したように、そのまま移行できる分を判別し、そのまま転送して登録するようにしてもよい。
【０１７４】
また、Ｓ１１〜Ｓ１５の各ステップにおける処理は、例えば上述した図１、図５のように、一旦ファクシミリ装置１０における短縮ダイヤル用の記憶領域の容量を検出した上で、図１のＰ２、図５のＰ５として説明したように、そのまま移行できる分を判別し、そのまま転送して登録するようにしてもよい。
【０１７５】
また、Ｓ１６〜Ｓ１８の各ステップにおける処理は、例えば上述した図５のＰ６のように、ファクシミリ装置１０における短縮ダイヤル用の空いている記憶領域に、溢れたワンタッチダイヤル用データをまとめて転送して登録するようにしてもよい。
【０１７６】
また、Ｓ１９〜Ｓ２１の各ステップにおける処理は、例えば上述した図１のＰ３のように、ファクシミリ装置１０におけるワンタッチダイヤル用の空いている記憶領域に、溢れた短縮ダイヤル用データをまとめて転送して登録するようにしてもよい。
【０１７７】
また、本実施形態のファクシミリ装置１がファクシミリ装置１０に対してデータを転送する際の構成は、図１に示すように直接に接続する構成に限るものではない。例えば図７に示すように、ホストＰＣ（Ｐｅｒｓｏｎａｌ  Ｃｏｍｐｕｔｅｒ）１１を介して、ファクシミリ装置１とファクシミリ装置１０とを接続する構成であってもよい。
【０１７８】
このホストＰＣ１１は、データ変換部１２と通信部１３とを備えている。データ変換部１２は、例えばファクシミリ装置１とファクシミリ装置１０とが、ワンタッチダイヤル用のデータおよび短縮ダイヤル用のデータとして、互いに異なる形式のデータ構造を用いている場合に、データ構造を適切に変換するためのものである。通信部１３は、ファクシミリ装置１とファクシミリ装置１０との間の通信を仲介するものである。例えば、ファクシミリ装置１とファクシミリ装置１０とで、互いに通信速度が異なる場合であっても、通信部１３が仲介して、通信を行うことができる。
【０１７９】
また、上述の実施の形態においては、ファクシミリ装置１のデータ登録部４が、ファクシミリ装置１０への転送を行う構成について説明したが、本発明はこれに限るものではない。例えば、ファクシミリ装置１０の図示しない登録部が、ファクシミリ装置１に記憶されているデータを取得する構成であってもよい。また、例えば、図７に示すようなホストＰＣ１１が、ファクシミリ装置１に記憶されているデータを取得した上で、ファクシミリ装置１０に登録する構成であってもよい。いずれの構成であっても、ワンタッチダイヤル用のデータと短縮ダイヤル用のデータとについて、ファクシミリ装置１に記憶されているデータの容量とファクシミリ装置１０における空き領域の容量とを検出して比較し、その結果に応じてファクシミリ装置１に記憶されているデータをファクシミリ装置１０に登録するものであればよい。特に、ファクシミリ装置１のワンタッチダイヤル用のデータをファクシミリ装置１０の短縮ダイヤル用の記憶領域に登録し、または、ファクシミリ装置１の短縮ダイヤル用のデータをファクシミリ装置１０のワンタッチダイヤル用の記憶領域に登録するものであればよい。これによって、短縮ダイヤル用データまたはワンタッチダイヤル用データの溢れを低減、防止できる。
【０１８０】
〔実施の形態２〕
本発明の他の実施の形態について図８（ａ）〜（ｃ）および図９に基づいて説明すると以下の通りである。
【０１８１】
本実施形態のファクシミリ装置は、上述の実施の形態１におけるファクシミリ装置１と同じ概略構成であり、ファクシミリ装置１０へのデータ転送処理が異なるのみである。以下では、本実施形態のファクシミリ装置についても、ファクシミリ装置１として参照し、実施の形態１と異なる点について説明する。
【０１８２】
本実施形態のファクシミリ装置１は、自身の保持するワンタッチダイヤル用データ、短縮ダイヤル用データについて、他のファクシミリ装置へと転送して登録する際には、他のファクシミリ装置に対してワンタッチダイヤル用のデータとして優先して登録する構成である。
【０１８３】
ファクシミリ装置１の動作を説明するために、ファクシミリ装置１の構成、機能を有するファクシミリ装置の機種Ａ、Ｂ、Ｃ、Ｄを考える。この機種Ａ、Ｂ、Ｃ、Ｄについて、各機種間でのデータ転送、データ交換の様子を、図８（ａ）〜（ｃ）に基づいて説明する。
【０１８４】
ここで、機種Ａにおけるワンタッチダイヤル用データの記憶領域は送信先５０個分、短縮ダイヤル用データの記憶領域は送信先３００個分とする。また、機種Ｂにおけるワンタッチダイヤル用データの記憶領域は送信先３５０個分、短縮ダイヤル用データの記憶領域は送信先０個分とする。また、機種Ｃにおけるワンタッチダイヤル用データの記憶領域は送信先２０個分、短縮ダイヤル用データの記憶領域は送信先１００個分とする。また、機種Ｄにおけるワンタッチダイヤル用データの記憶領域は送信先１００個分、短縮ダイヤル用データの記憶領域は送信先２５０個分とする。
【０１８５】
図８（ａ）は、機種Ａと機種Ｂとの間でのデータ交換を示すものである。例えば、機種Ａから機種Ｂへのデータ送信は、図８（ａ）に示すように、Ａｄ１にて示すワンタッチダイヤル用のデータ（ワンタッチ１〜５０）とＡｄ２にて示す短縮ダイヤル用のデータ（短縮１〜３００）とを、Ｂｄ１およびＢｄ２にて示すワンタッチ１〜５０、ワンタッチ５１〜３５０へと転送することによって行う。また、逆に、機種Ｂから機種Ａへのデータ送信は、Ｂｄ１のデータをＡｄ１に転送し、Ｂｄ２のデータをＡｄ２に転送することによって行う。
【０１８６】
このように、機種Ｂにワンタッチダイヤル用のデータの記憶領域のみが備えられているときには、ワンタッチダイヤル用のデータと短縮ダイヤル用のデータとを全く等価に扱ってデータ交換してもよい。
【０１８７】
また、図８（ｂ）は、機種Ａと機種Ｃとの間でのデータ交換を示すものである。例えば、機種Ａから機種Ｃへのデータ送信は、図８（ｂ）に示すように、Ａｄ３にて示すワンタッチダイヤル用のデータ（ワンタッチ１〜２０）を、Ｃｄ１にて示すワンタッチ１〜２０へと転送する。また、Ａｄ４にて示すワンタッチダイヤル用のデータ（ワンタッチ２１〜５０）を、Ｃｄ２にて示す短縮１〜３０へと転送する。また、Ａｄ５にて示す短縮ダイヤル用のデータ（短縮１〜７０）を、Ｃｄ３にて示す短縮３１〜１００へと転送する。また、Ａｄ６にて示す短縮ダイヤル用のデータ（短縮７１〜３００）は、転送して登録する記憶領域がないため、溢れたデータとしてデータ交換の対象から外す。また、逆に、機種Ｃから機種Ａへのデータ送信は、Ｃｄ１のデータをＡｄ３に転送し、Ｃｄ２のデータをＡｄ４に転送し、Ｃｄ３のデータをＡｄ５に転送することによって行う。
【０１８８】
このように、ワンタッチダイヤル用データ、短縮ダイヤル用データの順で処理するようにして、ワンタッチダイヤル用データの後に続いて短縮ダイヤル用データがあるとして、溢れたデータをデータ交換の対象から外すようにしてもよい。このようにすれば、ワンタッチダイヤル用のデータを優先できる。
【０１８９】
また、図８（ｃ）は、機種Ａと機種Ｄとの間でのデータ交換を示すものである。例えば、機種Ａから機種Ｄへのデータ送信は、図８（ｃ）に示すように、Ａｄ７にて示すワンタッチダイヤル用のデータ（ワンタッチ１〜５０）を、Ｄｄ１にて示すワンタッチ１〜５０へと転送する。また、Ａｄ８にて示す短縮ダイヤル用のデータ（短縮１〜５０）を、Ｄｄ２にて示すワンタッチ５１〜１００へと転送する。また、Ａｄ９にて示す短縮ダイヤル用のデータ（短縮５１〜３００）を、Ｄｄ３にて示す短縮１〜２５０へと転送する。
【０１９０】
このように、機種Ａと機種Ｄとにおいて、ワンタッチダイヤル用データと短縮ダイヤル用データとの記憶領域はそれぞれ異なるが、合計が等しい場合であっても、上述の図８（ｂ）に示したようにワンタッチダイヤル用データを先に処理すれば、ワンタッチダイヤル用データを優先的に登録して、使い勝手を向上させることができる。
【０１９１】
つぎに、本実施形態のファクシミリ装置１におけるデータ転送処理の一例について、図９に基づいて詳細に説明する。
【０１９２】
ファクシミリ装置１のデータ登録部４は、Ｓ２５にて、データ管理部５のワンタッチダイヤル用の記憶領域に記憶しているデータのうち、ファクシミリ装置１０に転送して登録するか否かを判別していない、未処理のデータがあるか否かを判別する。未処理のデータがない場合にはＳ３２に進む。
【０１９３】
未処理のデータがある場合にはＳ２６に進んで、未処理のデータのうちから一つを選択し、Ｓ２７に進む。Ｓ２７においては、ファクシミリ装置１０のワンタッチダイヤル用の記憶領域に、例えばデータの記憶されていない空き領域があるか否かを判別する。Ｓ２７において記憶領域に空きがあると判別された場合には、Ｓ２８に進んで、Ｓ２６にて選択したデータをＳ２７にて判別した空き領域に登録し、Ｓ２５に戻る。
【０１９４】
一方、Ｓ２７において記憶領域に空きがないと判別された場合には、Ｓ２９に進んで、ファクシミリ装置１０の短縮ダイヤル用の記憶領域に空き領域があるか否かを判別する。Ｓ２９において記憶領域に空きがあると判別された場合には、Ｓ３０に進んで、Ｓ２６にて選択したデータをＳ２９にて判別した空き領域に登録し、Ｓ２５に戻る。一方、Ｓ２９において記憶領域に空きがないと判別された場合には、Ｓ３１に進んでそのデータについては登録をしないこととして（登録取り消し）、Ｓ３９に進む。
【０１９５】
Ｓ２５においてワンタッチダイヤル用の未処理のデータがないと判別された場合のＳ３２においては、データ管理部５の短縮ダイヤル用の記憶領域に記憶しているデータのうち、未処理のデータがあるか否かを判別する。未処理のデータがない場合にはＳ３９に進む。未処理のデータがある場合にはＳ３３に進んで、短縮ダイヤル用のデータを一つ選択し、Ｓ３４に進む。
【０１９６】
Ｓ３４においては、ファクシミリ装置１０のワンタッチダイヤル用の記憶領域に空き領域があるか否かを判別する。Ｓ３４において記憶領域に空きがあると判別された場合には、Ｓ３５に進んで、Ｓ３３にて選択したデータをＳ３４にて判別した空き領域に登録し、Ｓ３２に戻る。
【０１９７】
一方、Ｓ３４において記憶領域に空きがないと判別された場合には、Ｓ３６に進んで、ファクシミリ装置１０の短縮ダイヤル用の記憶領域に空き領域があるか否かを判別する。Ｓ３６において記憶領域に空きがあると判別された場合には、Ｓ３７に進んで、Ｓ３３にて選択したデータをＳ３６にて判別した空き領域に登録し、Ｓ３２に戻る。一方、Ｓ３６において記憶領域に空きがないと判別された場合には、Ｓ３８に進んでそのデータについては登録をしないこととして（登録取り消し）、Ｓ３９に進む。
【０１９８】
Ｓ３９においては、データ登録部４の登録結果としての、ファクシミリ装置１からファクシミリ装置１０へと転送した各データについて、例えばワンタッチダイヤルキーと送信先、または短縮ダイヤル番号と送信先との対応関係を、印刷出力する。印刷は、ファクシミリ装置１の印刷部７が行ってもよいし、またはファクシミリ装置１０の印刷部が行ってもよい。このように印刷を行えば、データの転送結果を容易に確認できる。
【０１９９】
このように、Ｓ２５〜Ｓ３１の処理によって、ファクシミリ装置１のワンタッチダイヤル用のデータをファクシミリ装置１０の記憶領域に登録する際に、Ｓ２７においてワンタッチダイヤル用の記憶領域の有無の判定を行った後に、Ｓ２９において短縮ダイヤル用の記憶領域の有無の判定を行うので、データをファクシミリ装置１０のワンタッチダイヤル用の記憶領域に優先的に記憶させることができる。
【０２００】
また、Ｓ３２〜Ｓ３８の処理によって、ファクシミリ装置１の短縮ダイヤル用のデータをファクシミリ装置１０の記憶領域に登録する際に、Ｓ３４においてワンタッチダイヤル用の記憶領域の有無の判定を行った後に、Ｓ３６において短縮ダイヤル用の記憶領域の有無の判定を行うので、データをファクシミリ装置１０のワンタッチダイヤル用の記憶領域に優先的に記憶させることができる。
【０２０１】
なお、図９に示したように、データ一つずつについて、相手先の空き領域の有無を判別して登録を行う構成であってもよいし、または、複数のデータについてまとめて空き領域を判別して登録を行う構成であってもよい。
【０２０２】
〔実施の形態３〕
本発明のさらに他の実施の形態について図１０および図１１に基づいて説明すると以下の通りである。
【０２０３】
本実施形態のファクシミリ装置は、上述の実施の形態１におけるファクシミリ装置１と同じ概略構成であり、ファクシミリ装置１０へのデータ転送処理が異なるのみである。以下では、本実施形態のファクシミリ装置についても、ファクシミリ装置１として参照し、実施の形態１と異なる点について説明する。
【０２０４】
ファクシミリ装置１は、自身の保持するワンタッチダイヤル用データ、短縮ダイヤル用データについて、データ登録部（頻度測定部）４が、ファクシミリ装置の使用中に計測した送信先ごとの頻度情報に基づいて、登録を行う構成である。
【０２０５】
ここで、送信先ごとの頻度情報について、図１０（ａ）〜（ｅ）に基づいて説明をする。
【０２０６】
図１０（ａ）は、ファクシミリ装置１において格納されているデータの一例を示すものである。データは、実施の形態１にて説明した、図３に示すデータの項目（種別、ワンタッチ（短縮）番号、宛先名称、宛先名称読み仮名、電話（ＦＡＸ）番号、通信属性）に加えて、頻度情報の項目を含んでいる。図３と同様の項目については、同様であるので、ここでは説明を省略する。
【０２０７】
頻度情報の項目は、例えばファクシミリ装置１に対してワンタッチダイヤル用データを登録し、または短縮ダイヤル用データを登録した後から、そのワンタッチダイヤルまたは短縮ダイヤルを用いた回数をデータ登録部（頻度測定部）４が計測して、設定する。
【０２０８】
すなわち、例えば図１０（ｃ）に示すように、Ｓ４４においてユーザによるワンタッチダイヤル用のデータまたは短縮ダイヤル用のデータの登録を検出すると、Ｓ４５において、データ登録部４が頻度情報の初期値として１００と設定し、処理を終了する。このように、頻度情報の初期設定を行う。なお、初期値としては１００に限るものではなく、適当な値を設定することができる。
【０２０９】
また、例えば図１０（ｂ）に示すように、Ｓ４１においてユーザによるワンタッチダイヤル機能または短縮ダイヤル機能を用いたＦＡＸ送信を検出すると、Ｓ４２において、使用されたワンタッチダイヤル用のデータまたは短縮ダイヤル用のデータについて、データ登録部４が頻度情報に１を加える。Ｓ４３においては、Ｓ４２において１を加えた頻度情報の値が、予め定めた上限値を超えている場合には、頻度情報の値をその上限値に設定し直し、処理を終了する。このようにして、使用頻度情報を更新できる。
【０２１０】
また、例えば図１０（ｄ）に示すように、初期設定を行った頻度情報について、定期的に更新を行って、未使用のデータについての頻度の値を小さくするようにしてもよい。例えば、データ登録部４が、Ｓ４６にて前回の定期更新から一定日数が経過したことを判別し、一定日数が経過しているならば、Ｓ４７にて全てのデータについて頻度情報から１を引き、Ｓ４８にて頻度情報が０になったなら下限値としての１に戻して処理を終了してもよい。なお、Ｓ４６にて一定日数が経過していない場合にも、処理を終了する。
【０２１１】
また、例えば図１０（ｅ）に示すような手順によって、頻度情報を利用して、相手先にデータを登録することもできる。すなわち、Ｓ４９にて、ファクシミリ装置１に記憶されているデータについて、各データを頻度情報ごとにソートする。Ｓ５０では、まだ相手先に登録していないデータのうち、最も頻度情報が大きいものについて、相手先に登録をする。Ｓ５１において、相手先の記憶領域に空き領域があるか否かを判別し、空き領域がある場合にはＳ４９に戻り、空き領域がない場合には処理を終了する。このような手順の詳細について、以下で説明する。
【０２１２】
次に、本実施形態のファクシミリ装置１におけるデータ転送処理の一例について、図１１に基づいて説明する。
【０２１３】
ファクシミリ装置１のデータ登録部４は、Ｓ６１にて、データ管理部５のワンタッチダイヤル用の記憶領域および短縮ダイヤル用の記憶領域に記憶しているデータのうち、ファクシミリ装置１０に転送して登録するか否かを判別していない、未処理のデータがあるか否かを判別する。未処理のデータがない場合にはＳ６９に進む。
【０２１４】
未処理のデータがある場合にはＳ６２に進んで、各データを使用頻度の順にソートし、Ｓ６３に進む。Ｓ６３では、Ｓ６２にてソートしたデータのうち、最も使用頻度が高いものを選択して、Ｓ６４に進む。
【０２１５】
Ｓ６４においては、相手先であるファクシミリ装置１０のワンタッチダイヤル用の記憶領域に、例えばデータの記憶されていない空き領域があるか否かを判別する。Ｓ６４において記憶領域に空きがあると判別された場合には、Ｓ６５に進んで、Ｓ６３にて選択したデータをＳ６４にて判別した空き領域に登録し、Ｓ６１に戻る。
【０２１６】
一方、Ｓ６４において記憶領域に空きがないと判別された場合には、Ｓ６６に進んで、ファクシミリ装置１０の短縮ダイヤル用の記憶領域に空き領域があるか否かを判別する。Ｓ６６において記憶領域に空きがあると判別された場合には、Ｓ６３にて選択したデータをＳ６６にて判別した空き領域に登録し、Ｓ６１に戻る。一方、Ｓ６６において記憶領域に空きがないと判別された場合には、Ｓ６８に進んでそのデータについては登録をしないこととして（登録取り消し）、Ｓ６９に進む。
【０２１７】
Ｓ６９においては、データ登録部４の登録結果としての、ファクシミリ装置１からファクシミリ装置１０へと転送した各データについて、例えばワンタッチダイヤルキーと送信先、または短縮ダイヤル番号と送信先との対応関係を、印刷出力する。印刷は、ファクシミリ装置１の印刷部７が行ってもよいし、またはファクシミリ装置１０の印刷部が行ってもよい。このように印刷を行えば、データの転送結果を容易に確認できる。
【０２１８】
このように、Ｓ６１〜Ｓ６８の処理によって、ファクシミリ装置１のワンタッチダイヤル用のデータ、短縮ダイヤル用のデータをファクシミリ装置１０の記憶領域に登録する際に、Ｓ６４においてワンタッチダイヤル用の記憶領域の有無の判定を行った後に、Ｓ６６において短縮ダイヤル用の記憶領域の有無の判定を行うので、データをファクシミリ装置１０のワンタッチダイヤル用の記憶領域に優先的に記憶させることができる。
【０２１９】
また、Ｓ６２、Ｓ６３の処理によって、データを選択するので、ファクシミリ装置１において使用頻度の高いものから順番に、ファクシミリ装置１０に登録できる。したがって、ファクシミリ装置１０におけるワンタッチダイヤル、短縮ダイヤルの使い勝手を向上できる。
【０２２０】
なお、図１１に示したように、データ一つずつについて、相手先の空き領域の有無を判別して登録を行う構成であってもよいし、または、複数のデータについてまとめて空き領域を判別して登録を行う構成であってもよい。
【０２２１】
〔実施の形態４〕
本発明のさらに他の実施の形態について図１２および図１３に基づいて説明すると以下の通りである。
【０２２２】
本実施形態のファクシミリ装置は、上述の実施の形態１におけるファクシミリ装置１と同じ概略構成であり、ファクシミリ装置１０へのデータ転送処理の詳細が異なるのみである。以下では、本実施形態のファクシミリ装置についても、ファクシミリ装置１として参照し、実施の形態１と異なる点について説明する。
【０２２３】
本実施形態のファクシミリ装置は、自身の保持するワンタッチダイヤル用データ、短縮ダイヤル用データについて、ファクシミリ装置の使用中に計測した送信先ごとの頻度情報に基づいて、溢れた部分についてのみ、頻度順に登録を行う構成である。
【０２２４】
本実施形態におけるデータ転送の概略について、図１２（ａ）（ｂ）に基づいて説明をする。
【０２２５】
本実施形態の第１の例においては、図１２（ａ）に示すように、ファクシミリ装置１のデータ管理部５には、ワンタッチダイヤル用のデータが５５の送信先について登録され、また短縮ダイヤル用のデータが４７の送信先について登録されているとする。ここで、例えば図１２（ａ）において「ワンタッチ５１：８０」として示す「８０」は、ＩＤ番号を５１としたワンタッチダイヤル用データの使用頻度が８０であることを意味するものとする。
【０２２６】
また、ファクシミリ装置１０における、ワンタッチダイヤル用のデータの登録可能数は５０であり、短縮ダイヤル用のデータの登録可能数は５０であるとする。
【０２２７】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０２２８】
ここで、ファクシミリ装置１のデータ管理部５に記憶されているワンタッチダイヤル用のデータの容量（５５個分）は、ファクシミリ装置１０の備えているワンタッチダイヤル用の記憶領域の容量（５０個分）を超えている。
【０２２９】
そこで、ファクシミリ装置１のデータ登録部４は、ファクシミリ装置１からファクシミリ装置１０へと、ワンタッチダイヤルのＩＤが１〜５０の分（ワンタッチ１〜５０）を転送し、ワンタッチ１〜５０として登録する（Ｐ７）。
【０２３０】
また、ファクシミリ装置１のデータ管理部５に記憶されている短縮ダイヤル用のデータの容量（４７個分）は、ファクシミリ装置１０の備えている短縮ダイヤル用の記憶領域の容量（５０個分）よりも小さい。
【０２３１】
そこで、ファクシミリ装置１からファクシミリ装置１０へと、短縮ダイヤルのＩＤが１〜４７の分（短縮１〜４７）を転送し、短縮１〜４７として登録する（Ｐ８）。
【０２３２】
次に、ファクシミリ装置１においてまだ転送されていないワンタッチダイヤルのＩＤが５１〜５５の分のうちから、頻度の高い順に「ワンタッチ５３：１４０」、「ワンタッチ５４：１２０」、「ワンタッチ５２：１００」を選択して転送し、それぞれ短縮４８、短縮４９、短縮５０として登録する。
【０２３３】
このように、ファクシミリ装置１の状態をできるだけ維持するようにファクシミリ装置１０へと登録を行った（Ｐ７、Ｐ８）後に、短縮ダイヤル用の記憶領域に３つ空きがあった場合には、溢れたワンタッチダイヤル用のデータのうちから、頻度の高いものを順に３つ選択して、短縮ダイヤル用の領域に登録する構成であってもよい。
【０２３４】
また、本実施形態の第２の例においては、図１２（ｂ）に示すように、ファクシミリ装置１のデータ管理部５には、ワンタッチダイヤル用のデータが４８の送信先について登録され、また短縮ダイヤル用のデータが５４の送信先について登録されているとする。
【０２３５】
また、ファクシミリ装置１０における、ワンタッチダイヤル用のデータの登録可能数は５０であり、短縮ダイヤル用のデータの登録可能数は５０であるとする。
【０２３６】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０２３７】
ここで、ファクシミリ装置１のデータ管理部５に記憶されているワンタッチダイヤル用のデータの容量（４８個分）は、ファクシミリ装置１０の備えているワンタッチダイヤル用の記憶領域の容量（５０個分）よりも小さい。
【０２３８】
そこで、ファクシミリ装置１のデータ登録部４は、ファクシミリ装置１からファクシミリ装置１０へと、ワンタッチダイヤルのＩＤが１〜４８の分（ワンタッチ１〜４８）を転送し、ワンタッチ１〜４８として登録する（Ｐ１０）。
【０２３９】
また、ファクシミリ装置１のデータ管理部５に記憶されている短縮ダイヤル用のデータの容量（５４個分）は、ファクシミリ装置１０の備えている短縮ダイヤル用の記憶領域の容量（５０個分）を超えている。
【０２４０】
そこで、ファクシミリ装置１からファクシミリ装置１０へと、短縮ダイヤルのＩＤが１〜５０の分（短縮１〜５０）を転送し、短縮１〜５０として登録する（Ｐ１１）。
【０２４１】
次に、ファクシミリ装置１においてまだ転送されていない短縮ダイヤルのＩＤが５１〜５４の分のうちから、頻度の高い順に「短縮５４：１２０」、「短縮５２：１１０」を選択して転送し、それぞれワンタッチ４９、ワンタッチ５０として登録する。
【０２４２】
このように、ファクシミリ装置１の状態をできるだけ維持するようにファクシミリ装置１０へと登録を行った（Ｐ１０、Ｐ１１）後に、ワンタッチダイヤル用の記憶領域に２つ空きがあった場合には、溢れた短縮ダイヤル用のデータのうちから、頻度の高いものを順に２つ選択して、ワンタッチダイヤル用の領域に登録する構成であってもよい。
【０２４３】
次に、図１３に基づいて、本実施形態におけるデータ転送について詳細に説明する。
【０２４４】
ファクシミリ装置１のデータ登録部４は、Ｓ７１にて、データ管理部５のワンタッチダイヤル用の記憶領域に記憶しているデータのうち、ファクシミリ装置１０に転送して登録するか否かを判別していない、未処理のデータがあるか否かを判別する。未処理のデータがない場合にはＳ７６に進む。
【０２４５】
未処理のデータがある場合にはＳ７２に進んで、未処理のデータのうちから一つを選択し、Ｓ７３に進む。Ｓ７３においては、ファクシミリ装置１０のワンタッチダイヤル用の記憶領域に、例えばデータの記憶されていない空き領域があるか否かを判別する。Ｓ７３において記憶領域に空きがあると判別された場合には、Ｓ７４に進んで、Ｓ７２にて選択したデータをＳ７３にて判別した空き領域に登録し、Ｓ７１に戻る。一方、Ｓ７３において記憶領域に空きがないと判別された場合には、Ｓ７５に進んでそのデータについては登録をしないこととして（登録取り消し）、Ｓ７６に進む。
【０２４６】
Ｓ７６においては、データ管理部５の短縮ダイヤル用の記憶領域に記憶しているデータのうち、未処理のデータがあるか否かを判別する。未処理のデータがない場合にはＳ８１に進む。未処理のデータがある場合にはＳ７７に進んで、短縮ダイヤル用のデータを一つ選択し、Ｓ７８に進む。
【０２４７】
Ｓ７８においては、転送先であるファクシミリ装置１０の短縮ダイヤル用の記憶領域に、空き領域があるか否かを判別する。Ｓ７８において記憶領域に空きがある場合には、Ｓ７９に進んで、Ｓ７７にて選択したデータをＳ７８にて判別した空き領域に登録し、Ｓ７６に戻る。一方、Ｓ７８において記憶領域に空きがない場合には、Ｓ８０に進んでそのデータの登録を一旦取り消して、Ｓ８１に進む。
【０２４８】
次に、Ｓ８１においては、ファクシミリ装置１のデータ管理部５のワンタッチダイヤル用の記憶領域に記憶しているデータのうち、ファクシミリ装置１０の記憶領域にまだ登録していないもの（溢れたワンタッチダイヤル用データ）があるか否かを判別する。溢れたワンタッチダイヤル用データがある場合にはＳ８２に進み、溢れたワンタッチダイヤル用データがない場合にはＳ８４に進む。
【０２４９】
Ｓ８２においては、転送先であるファクシミリ装置１０の短縮ダイヤル用の記憶領域に、空き領域があるか否かを判別する。空き領域がある場合にはＳ８３に進み、空き領域がない場合にはＳ８４に進む。
【０２５０】
Ｓ８２において空き領域があった場合のＳ８３では、Ｓ８１にて判別した溢れたワンタッチダイヤル用データのうちから最も使用頻度の高いものを選択し、Ｓ８２にて判別した空き領域に登録し、Ｓ８１に戻る。
【０２５１】
Ｓ８４では、ファクシミリ装置１のデータ管理部５の短縮ダイヤル用の記憶領域に記憶しているデータのうち、ファクシミリ装置１０の記憶領域にまだ登録していないもの（溢れた短縮ダイヤル用データ）があるか否かを判別する。溢れた短縮ダイヤル用データがある場合にはＳ８５に進み、溢れた短縮ダイヤル用データがない場合にはＳ８７に進む。
【０２５２】
Ｓ８５においては、転送先であるファクシミリ装置１０のワンタッチダイヤル用の記憶領域に、空き領域があるか否かを判別する。空き領域がある場合にはＳ８６に進み、空き領域がない場合にはＳ８７に進む。
【０２５３】
Ｓ８５において空き領域があった場合のＳ８６では、Ｓ８４にて判別した溢れた短縮ダイヤル用データのうちから最も使用頻度の高いものを選択し、Ｓ８５にて判別した空き領域に登録し、Ｓ８４に戻る。
【０２５４】
Ｓ８７においては、データ登録部４の登録結果としての、ファクシミリ装置１からファクシミリ装置１０へと転送した各データについて、例えばワンタッチダイヤルキーと送信先、または短縮ダイヤル番号と送信先との対応関係を、印刷出力する。印刷は、ファクシミリ装置１の印刷部７が行ってもよいし、またはファクシミリ装置１０の印刷部が行ってもよい。このように印刷を行えば、データの転送結果を容易に確認できる。
【０２５５】
なお、図１３に示したように、データ一つずつについて、相手先の空き領域の有無を判別して登録を行う構成であってもよいし、または、複数のデータについてまとめて空き領域を判別して登録を行う構成であってもよい。
【０２５６】
〔実施の形態５〕
本発明のさらに他の実施の形態について図１４および図１５に基づいて説明すると以下の通りである。
【０２５７】
本実施形態のファクシミリ装置は、上述の実施の形態１におけるファクシミリ装置１と同じ概略構成であり、ファクシミリ装置１０へのデータ転送処理の詳細が異なるのみである。以下では、本実施形態のファクシミリ装置についても、ファクシミリ装置１として参照し、実施の形態１と異なる点について説明する。
【０２５８】
本実施形態のファクシミリ装置は、自身の保持するワンタッチダイヤル用データ、短縮ダイヤル用データについて、ファクシミリ装置の使用中に計測した送信先ごとの頻度情報に基づいて、頻度順に、ワンタッチダイヤル用データを優先して登録を行う構成である。
【０２５９】
本実施形態におけるデータ転送の概略について、図１４（ａ）（ｂ）に基づいて説明をする。
【０２６０】
本実施形態の第１の例においては、図１４（ａ）に示すように、ファクシミリ装置１のデータ管理部５には、ワンタッチダイヤル用のデータが１０の送信先について登録され、また短縮ダイヤル用のデータが１０の送信先について登録されているとする。
【０２６１】
また、ファクシミリ装置１０における、ワンタッチダイヤル用のデータの登録可能数は１５であり、短縮ダイヤル用のデータの登録可能数は５であるとする。
【０２６２】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０２６３】
ここで、ファクシミリ装置１のデータ管理部５に記憶されているワンタッチダイヤル用のデータの容量（１０個分）は、ファクシミリ装置１０の備えているワンタッチダイヤル用の記憶領域の容量（１５個分）よりも小さい
そこで、ファクシミリ装置１のデータ登録部４は、ファクシミリ装置１からファクシミリ装置１０へと、ワンタッチダイヤルのＩＤが１〜１０の分（ワンタッチ１〜１０）を転送し、ワンタッチ１〜１０として登録する（Ｐ１３）。
【０２６４】
次に、ファクシミリ装置１０のワンタッチダイヤル用の領域であるワンタッチ１１〜１５が空いているので、この領域に登録するためのデータを、ファクシミリ装置１の短縮ダイヤル用データのうちから使用頻度の高い順に選択することとする。そして、「短縮１：２００」、「短縮２：１６０」、「短縮６：１５０」、「短縮３：１３０」、「短縮５：１１０」を選択して転送し、それぞれワンタッチ１１〜１５として登録する（Ｐ１４）。
【０２６５】
次に、ファクシミリ装置１０の短縮ダイヤル用の領域である短縮１〜５が空いているので、この領域に登録するためのデータを、ファクシミリ装置１の残りの短縮ダイヤル用データのうちから使用頻度の高い順に選択することとする。そして、「短縮７：１０５」、「短縮８：１００」、「短縮４：９０」、「短縮９：８０」、「短縮１０：７０」を選択して転送し、それぞれ短縮１〜５として登録する（Ｐ１５）。
【０２６６】
このように、ファクシミリ装置１のワンタッチダイヤルの状態をできるだけ維持するようにファクシミリ装置１０へと登録を行った（Ｐ１３）後に、ファクシミリ装置１０のワンタッチダイヤル用の空き領域と、短縮ダイヤル用の空き領域とにそれぞれ使用頻度の高い順に順次登録するようにしてもよい。
【０２６７】
また、本実施形態の第２の例においては、図１４（ｂ）に示すように、ファクシミリ装置１のデータ管理部５には、ワンタッチダイヤル用のデータが１０の送信先について登録され、また短縮ダイヤル用のデータが５の送信先について登録されているとする。
【０２６８】
また、ファクシミリ装置１０における、ワンタッチダイヤル用のデータの登録可能数は１５であり、短縮ダイヤル用のデータの登録可能数は５０であるとする。
【０２６９】
この構成において、ファクシミリ装置１のデータ登録部４は、ファクシミリ装置１０の備えているワンタッチダイヤル用の記憶領域の容量と、短縮ダイヤル用の記憶領域の容量とを検出する。
【０２７０】
ここで、ファクシミリ装置１のデータ管理部５に記憶されているワンタッチダイヤル用のデータの容量（１０個分）は、ファクシミリ装置１０の備えているワンタッチダイヤル用の記憶領域の容量（１５個分）よりも小さい
そこで、ファクシミリ装置１のデータ登録部４は、ファクシミリ装置１からファクシミリ装置１０へと、ワンタッチダイヤルのＩＤが１〜１０の分（ワンタッチ１〜１０）を転送し、ワンタッチ１〜１０として登録する（Ｐ１６）。
【０２７１】
次に、ファクシミリ装置１０のワンタッチダイヤル用の領域であるワンタッチ１１〜１５が空いているので、この領域に登録するためのデータを、ファクシミリ装置１の短縮ダイヤル用データのうちから使用頻度の高い順に選択することとする。そして、「短縮３：１５０」、「短縮１：１２０」、「短縮２：１１０」、「短縮４：１０５」、「短縮５：９０」を順に選択して転送し、それぞれワンタッチ１１〜１５として登録する（Ｐ１７）。
【０２７２】
この場合には、ファクシミリ装置１０の短縮ダイヤル用の領域（短縮１〜５０）は、空き領域のままとなる。
【０２７３】
このように、ファクシミリ装置１のワンタッチダイヤルの状態をできるだけ維持するようにファクシミリ装置１０へと登録を行った（Ｐ１６）後に、ファクシミリ装置１０のワンタッチダイヤル用の空き領域と、短縮ダイヤル用の空き領域とにそれぞれ使用頻度の高い順に順次登録するようにしてもよい。
【０２７４】
次に、図１５に基づいて、本実施形態におけるデータ転送の一例について、詳細に説明する。
【０２７５】
ファクシミリ装置１のデータ登録部４は、Ｓ９１にて、データ管理部５のワンタッチダイヤル用の記憶領域に記憶しているデータのうち、ファクシミリ装置１０に転送して登録するか否かを判別していない、未処理のデータがあるか否かを判別する。未処理のデータがない場合にはＳ９８に進む。
【０２７６】
未処理のデータがある場合にはＳ９２に進んで、未処理のデータのうちから一つを選択し、Ｓ９３に進む。Ｓ９３においては、ファクシミリ装置１０のワンタッチダイヤル用の記憶領域に、例えばデータの記憶されていない空き領域があるか否かを判別する。Ｓ９３において記憶領域に空きがあると判別された場合には、Ｓ９４に進んで、Ｓ９２にて選択したデータをＳ９３にて判別した空き領域に登録し、Ｓ９１に戻る。
【０２７７】
一方、Ｓ９３において記憶領域に空きがないと判別された場合には、Ｓ９５に進んで、ファクシミリ装置１０の短縮ダイヤル用の記憶領域に空き領域があるか否かを判別する。Ｓ９５において記憶領域に空きがあると判別された場合には、Ｓ９６に進んで、Ｓ９２にて選択したデータをＳ９５にて判別した空き領域に登録し、Ｓ９１に戻る。
【０２７８】
一方、Ｓ９５において記憶領域に空きがないと判別された場合には、Ｓ９７に進んでそのデータについては登録をしないこととして（登録取り消し）、Ｓ１０５に進む。
【０２７９】
Ｓ９８においては、データ管理部５の短縮ダイヤル用の記憶領域に記憶しているデータのうち、未処理のデータがあるか否かを判別する。未処理のデータがない場合にはＳ１０５に進む。未処理のデータがある場合にはＳ９９に進んで、未処理の短縮ダイヤル用のデータのうちから最も使用頻度の高いものを選択して、Ｓ１００に進む。
【０２８０】
Ｓ１００においては、転送先であるファクシミリ装置１０のワンタッチダイヤル用の記憶領域に、空き領域があるか否かを判別する。Ｓ１００において記憶領域に空きがある場合には、Ｓ１０１に進んで、Ｓ９９にて選択したデータをＳ１００にて判別した空き領域に登録し、Ｓ９８に戻る。
【０２８１】
一方、Ｓ１００において記憶領域に空きがない場合には、Ｓ１０２に進んで、転送先であるファクシミリ装置１０の短縮ダイヤル用の記憶領域に、空き領域があるか否かを判別する。Ｓ１０２において記憶領域に空きがある場合には、Ｓ１０３に進んで、Ｓ９９にて選択したデータをＳ１０２にて判別した空き領域に登録し、Ｓ９８に戻る。
【０２８２】
一方、Ｓ１０２において記憶領域に空きがない場合には、Ｓ１０４に進んで、そのデータの登録を一旦取り消して、Ｓ１０５に進む。
【０２８３】
Ｓ１０５においては、データ登録部４の登録結果としての、ファクシミリ装置１からファクシミリ装置１０へと転送した各データについて、例えばワンタッチダイヤルキーと送信先、または短縮ダイヤル番号と送信先との対応関係を、印刷出力する。印刷は、ファクシミリ装置１の印刷部７が行ってもよいし、またはファクシミリ装置１０の印刷部が行ってもよい。このように印刷を行えば、データの転送結果を容易に確認できる。
【０２８４】
なお、図１５に示したように、データ一つずつについて、相手先の空き領域の有無を判別して登録を行う構成であってもよいし、または、複数のデータについてまとめて空き領域を判別して登録を行う構成であってもよい。
【０２８５】
〔実施の形態６〕
本発明のさらに他の実施の形態について図１６ないし図１９に基づいて説明すると以下の通りである。
【０２８６】
本実施形態のファクシミリ装置Ｅは、上述の実施の形態１におけるファクシミリ装置１とほぼ同じ概略構成である。また、本実施形態のファクシミリ装置Ｆ、Ｇは、上述の実施の形態１におけるファクシミリ装置１０とほぼ同じ概略構成である。
【０２８７】
以下では、ファクシミリ装置Ｅからファクシミリ装置Ｆ、およびファクシミリ装置Ｅからファクシミリ装置Ｇへのデータ転送処理について、特にファクシミリ装置１からファクシミリ装置１０へのデータ転送処理と異なる点を詳細に説明する。
【０２８８】
ここで、ファクシミリ装置Ｅ、Ｆ、Ｇにおいては、操作・表示部３が、グループダイヤル番号に対する選択を検出すると、選択に応じた所定の複数の送信先への送信を行う、グループダイヤル部としても機能する。グループダイヤル番号は、同時に送信を行う（同時送信、同報送信）ための複数の送信先を、ワンタッチダイヤル番号、短縮ダイヤル番号、ファクシミリ番号のいずれかを用いて、所定の番号に登録したものである。
【０２８９】
ファクシミリ装置Ｅは、グループダイヤル機能を有している。また、ファクシミリ装置Ｅは、ワンタッチダイヤル用データ、短縮ダイヤル用データの相手先への登録に応じて、適切に修正を行ったグループダイヤル用データ（グループデータ）を相手先に登録する登録する構成である。
【０２９０】
本実施形態におけるデータ転送の一例の概略について、図１６（ａ）〜（ｃ）および図１７（ａ）〜（ｃ）に基づいて説明をする。
【０２９１】
ファクシミリ装置Ｅは、上述のように、図２に示すファクシミリ装置１と同様の構成を有しており、以下ではファクシミリ装置１と同様のものとして参照する。ファクシミリ装置Ｅは、上述のファクシミリ装置１の構成において、データ管理部５に、短縮ダイヤル用データ、ワンタッチダイヤル用データに加えて、グループダイヤル用データを記憶している。すなわち、ファクシミリ装置Ｅは、グループダイヤル用データを記憶するための、第１グループダイヤル用記憶領域を有している。
【０２９２】
ここで、ファクシミリ装置Ｅは、グループダイヤル用データとして、図１６（ａ）に示すような一例を記憶している。ここでは、グループ１とグループ２の二つのグループダイヤル用データのみを示しているが、これは一例であり、これに限るものではない。また、一例としてのグループ１とグループ２とは、それぞれ４つの送信先を有しているが、送信先の数はこれに限るものではない。
【０２９３】
グループ１、グループ２は、図１６（ａ）に示すように、それぞれ、グループダイヤル中の送信先のデータとして、ワンタッチ番号、短縮番号で指定された送信先のデータに加えて、実際のファクシミリ番号で指定される送信先のデータを含んでいる。このように、グループダイヤルにおいては、送信先をワンタッチ番号、短縮番号、ファクシミリ番号にいずれかを用いて登録できる。
【０２９４】
また、ファクシミリ装置Ｅは、図１６（ｂ）に示すように、ワンタッチ番号１〜３５のワンタッチダイヤル用データを記憶している。このうち、ワンタッチ番号１〜１０のデータをデータＥｄ１とする。ワンタッチ番号１１〜２０のデータをデータＥｄ２とする。ワンタッチ番号２１〜３５のデータをデータＥｄ３とする。
【０２９５】
また、ファクシミリ装置Ｅは、図１６（ｃ）に示すように、短縮番号１〜２０の短縮ダイヤル用データを記憶している。このうち、短縮番号１〜１５のデータをデータＥｄ４とする。短縮番号１６〜２０のデータをデータＥｄ５とする。
【０２９６】
このように、ファクシミリ装置Ｅには、３５個のワンタッチダイヤル用データと、２０個の短縮ダイヤル用データとが記憶されている。
【０２９７】
一方、ファクシミリ装置Ｆは、上述のようにファクシミリ装置１０と同様の構成を有しており、以下ではファクシミリ装置１０と同様のものとして参照する。ファクシミリ装置Ｆは、データ管理部に、ファクシミリ装置Ｅと同様にグループダイヤル用データをも記憶している。すなわち、ファクシミリ装置Ｆは、グループダイヤル用データを記憶するための、第２グループダイヤル用記憶領域を有している。
【０２９８】
ここで、ファクシミリ装置Ｆにおける、ワンタッチダイヤルの登録可能数は１０であり、短縮ダイヤルの登録可能数は３０であるとする。この構成のファクシミリ装置Ｆに対して、ファクシミリ装置Ｅからデータ転送を行って登録をする場合について以下で説明をする。
【０２９９】
本実施形態では、自身の保持するワンタッチダイヤル用データ、短縮ダイヤル用データについて、他のファクシミリ装置へと転送して登録する際には、記憶されているデータの状態をできるだけ維持した上で、そのままでは登録できないときに特別な処理を行う場合について説明をする。すなわち、上述の実施の形態１にて説明した構成と同様の構成について説明する。
【０３００】
この場合には、ファクシミリ装置Ｆのワンタッチダイヤル用データは、図１７（ｂ）に示すように、ファクシミリ装置ＥのデータＥｄ１が転送された、データＦｄ１となる。
【０３０１】
また、ファクシミリ装置Ｆの短縮ダイヤル用データは、図１７（ｃ）に示すように、ファクシミリ装置ＥのデータＥｄ４・Ｅｄ５が転送された、データＦｄ２と、ファクシミリ装置ＥのデータＥｄ２が転送された、データＦｄ３とになる。
【０３０２】
このように、本実施形態においては、ファクシミリ装置Ｅに記憶されているワンタッチダイヤル用データの数がファクシミリ装置Ｆのワンタッチダイヤル用データの登録可能数よりも大きく、かつ、ファクシミリ装置Ｅに記憶されている短縮ダイヤル用データの数はファクシミリ装置Ｆの短縮ダイヤル用データの登録可能数よりも小さくなっている。この場合には、実施の形態１にて説明した転送動作と同様に、ファクシミリ装置Ｅからファクシミリ装置Ｆへ、短縮ダイヤル用データを先に転送した上で、ワンタッチダイヤル用データをできるだけワンタッチダイヤル用の領域に登録した上で、余ったワンタッチダイヤル用データを短縮ダイヤル用の領域に登録する。
【０３０３】
以上に説明した、ワンタッチダイヤル用データ、短縮ダイヤル用データの転送に続いて、ファクシミリ装置Ｅはグループダイヤル用データをファクシミリ装置Ｆに転送する。
【０３０４】
ここで、図１６（ａ）に示すように、ファクシミリ装置Ｅのグループダイヤル用データのうちのグループ（グループダイヤル番号）１は、ワンタッチ番号２０のデータを含んでいる。
【０３０５】
しかしながら、このワンタッチ番号２０のデータは、ファクシミリ装置Ｅからファクシミリ装置Ｆに転送されることによって、ファクシミリ装置Ｆにおいては、短縮番号３０として登録されている。
【０３０６】
そこで、ファクシミリ装置Ｅは、このワンタッチ番号２０から短縮番号３０への変更に伴い、図１７（ａ）に示すように、グループ１が短縮番号３０を有するようにグループダイヤルの内容を修正して登録を行う。
【０３０７】
また、図１６（ａ）に示すように、ファクシミリ装置Ｅのグループダイヤル用データのうちのグループ２は、ワンタッチ番号３５のデータを含んでいる。
【０３０８】
しかしながら、このワンタッチ番号３５のデータは、ファクシミリ装置Ｅからファクシミリ装置Ｆに転送して登録することができなかったデータである。
【０３０９】
そこで、ファクシミリ装置Ｅは、ファクシミリ番号がＸＸＸ−３５３５であるワンタッチ番号３５のデータが登録できなかったことに伴い、図１７（ａ）に示すように、グループ２がファクシミリ番号ＸＸＸ−３５３５を有するようにグループダイヤル用データの内容を修正して、番号登録を行うようにする。
【０３１０】
以上のようにして、ファクシミリ装置Ｅからファクシミリ装置Ｆへとグループダイヤル用データを転送することができ、再設定を不要にできる。
【０３１１】
また、本実施形態におけるデータ転送の他の一例の概略について、図１６（ａ）〜（ｃ）および図１８（ａ）（ｂ）に基づいて説明をする。
【０３１２】
ファクシミリ装置Ｇは、上述のようにファクシミリ装置１０と同様の構成を有しており、以下ではファクシミリ装置１０と同様のものとして参照する。ファクシミリ装置Ｇは、データ管理部に、ファクシミリ装置Ｅと同様にグループダイヤル用データをも記憶している。すなわち、ファクシミリ装置Ｇは、グループダイヤル用データを記憶するための、第２グループダイヤル用記憶領域を有している。
【０３１３】
ここで、ファクシミリ装置Ｇにおける、ワンタッチダイヤルの登録可能数は、図１８（ｂ）に示すように５０であり、短縮ダイヤルの登録可能数は０であるとする。この構成のファクシミリ装置Ｇに対して、ファクシミリ装置Ｅからデータ転送を行って登録をする場合について以下で説明をする。
【０３１４】
この場合には、ファクシミリ装置Ｇのワンタッチダイヤル用データは、図１８（ｂ）に示すように、ファクシミリ装置ＥのデータＥｄ１〜Ｅｄ３が転送された、データＧｄ１と、ファクシミリ装置ＥのデータＥｄ４が転送された、データＧｄ２とになる。
【０３１５】
このように、ファクシミリ装置Ｅに記憶されているワンタッチダイヤル用データの数がファクシミリ装置Ｇのワンタッチダイヤル用データの登録可能数よりも小さく、かつ、ファクシミリ装置Ｅに記憶されている短縮ダイヤル用データの数はファクシミリ装置Ｇの短縮ダイヤル用データの登録可能数よりも大きくなっている。この場合には、実施の形態１にて説明した転送動作と同様に、ファクシミリ装置Ｅからファクシミリ装置Ｇへ、ワンタッチダイヤル用データを先に転送した上で、短縮ダイヤル用データを残りのワンタッチダイヤル用データの領域に登録する。
【０３１６】
以上に説明した、ワンタッチダイヤル用データ、短縮ダイヤル用データの転送に続いて、ファクシミリ装置Ｅはグループダイヤル用データをファクシミリ装置Ｇに転送する。
【０３１７】
ここで、図１６（ａ）に示すように、ファクシミリ装置Ｅのグループダイヤル用データのうちのグループ１は、短縮番号１のデータを含んでいる。
【０３１８】
しかしながら、この短縮番号１のデータは、ファクシミリ装置Ｅからファクシミリ装置Ｇに転送されることによって、ファクシミリ装置Ｇにおいては、ワンタッチ番号３６として登録されている。
【０３１９】
そこで、ファクシミリ装置Ｅは、この短縮番号１からワンタッチ番号３６への変更に伴い、図１８（ａ）に示すように、グループ１がワンタッチ番号３６を有するようにグループダイヤルの内容を修正して登録を行う。
【０３２０】
また、図１６（ａ）に示すように、ファクシミリ装置Ｅのグループダイヤル用データのうちのグループ２は、短縮番号１９のデータを含んでいる。
【０３２１】
しかしながら、この短縮番号１９のデータは、ファクシミリ装置Ｅからファクシミリ装置Ｇに転送して登録することができなかったデータである。
【０３２２】
そこで、ファクシミリ装置Ｅは、ファクシミリ番号がＹＹＹ−１９１９である短縮番号１９のデータが登録できなかったことに伴い、図１７（ａ）に示すように、グループ２がファクシミリ番号ＹＹＹ−１９１９を有するようにグループダイヤルの内容を修正して、番号登録を行うようにする。
【０３２３】
以上のようにして、ファクシミリ装置Ｅからファクシミリ装置Ｇへとグループダイヤル用データを転送することができ、再設定を不要にできる。
【０３２４】
次に、本実施形態におけるグループデータ転送の詳細について、図１９に基づいて説明をする。
【０３２５】
このデータ転送処理は、上述の図１６〜１８に基づく、ファクシミリ装置Ｅからファクシミリ装置Ｆ、またはファクシミリ装置Ｅからファクシミリ装置Ｇへのグループデータ転送処理に相当する。ここでは、簡単のため、ファクシミリ装置Ｅからファクシミリ装置Ｆへの転送であるものとして説明を行う。
【０３２６】
まず、ファクシミリ装置Ｅからファクシミリ装置Ｆへの、ワンタッチダイヤル用データ、短縮ダイヤル用データの転送が終了したものとする。このワンタッチダイヤル用データ、短縮ダイヤル用データの転送は、上述したように、どのような手順で行ってもよい。例えば実施の形態１にて説明した手順で行ってもよいし、または他の実施の形態にて説明した手順で行ってもよいし、またはその他の手順で行ってもよい。
【０３２７】
その後に、ファクシミリ装置Ｅは、グループデータ転送のために、Ｓ１１０にて交換元であるファクシミリ装置Ｅのグループデータを一つ取り出す。
【０３２８】
Ｓ１１１では、そのグループデータに、ワンタッチ番号によって登録されているデータがあるか否かを判別する。ワンタッチ番号で登録されているデータがある場合にはＳ１１２に進み、そのデータを取り出す。ワンタッチ番号で登録されているデータがない場合にはＳ１１７に進む。
【０３２９】
Ｓ１１２の次のＳ１１３では、そのワンタッチ番号で登録されたデータが、交換先においてどのように登録されているかを判別する。
【０３３０】
Ｓ１１３において、交換先では短縮ダイヤル用データで登録されていると判別された場合には、Ｓ１１４に進んで、交換先へ登録するためのグループデータを、交換先の短縮ダイヤル番号を用いて修正し、交換先に登録する。
【０３３１】
また、Ｓ１１３において、交換先ではワンタッチダイヤル用データで登録されていると判別された場合には、Ｓ１１５に進んで、交換先へ登録するためのグループデータを交換先のワンタッチダイヤル番号を用いて、交換先に登録する。これは、ワンタッチダイヤル番号自体も変更されている可能性があるためである。
【０３３２】
また、Ｓ１１３において、交換先ではワンタッチダイヤル、短縮ダイヤルとしては登録されず、未登録の状態であると判別された場合には、Ｓ１１６に進んで、交換先のそのグループデータをそのファクシミリ番号によって番号登録する。
【０３３３】
以上に説明したＳ１１４・Ｓ１１５・Ｓ１１６の後は、Ｓ１１１に戻って、次の（未処理の）ワンタッチダイヤル用データがあるか否かを判別する。Ｓ１１１〜Ｓ１１６の各ステップによって、交換元のグループデータ中においてワンタッチダイヤルで登録されたデータを、交換先のグループデータとして適切に登録することができる。
【０３３４】
次に、Ｓ１１７では、そのグループデータに、短縮番号によって登録されているデータがあるか否かを判別する。短縮番号で登録されているデータがある場合にはＳ１１８に進み、そのデータを取り出す。短縮番号で登録されているデータがない場合にはＳ１２３に進む。
【０３３５】
Ｓ１１８の次のＳ１１９では、その短縮番号で登録されたデータが、交換先においてどのように登録されているかを判別する。
【０３３６】
Ｓ１１９において、交換先では短縮ダイヤル用データで登録されていると判別された場合には、Ｓ１２０に進んで、交換先のそのグループデータを交換先の短縮ダイヤル番号によって登録する。これは、短縮ダイヤル番号自体も変更されている可能性があるためである。
【０３３７】
また、Ｓ１１９において、交換先ではワンタッチダイヤル用データで登録されていると判別された場合には、Ｓ１２１に進んで、交換先のそのグループデータを交換先のワンタッチダイヤル番号によって登録する。
【０３３８】
また、Ｓ１１９において、交換先ではワンタッチダイヤル、短縮ダイヤルとしては登録されず、未登録の状態であると判別された場合には、Ｓ１２２に進んで、交換先のそのグループデータをそのファクシミリ番号によって番号登録する。
【０３３９】
以上に説明したＳ１２０・Ｓ１２１・Ｓ１２２の後は、Ｓ１１７に戻って、次の（未処理の）短縮ダイヤル用データがあるか否かを判別する。Ｓ１１７〜Ｓ１２２の各ステップによって、交換元のグループデータ中において短縮ダイヤルで登録されたデータを、交換先のグループデータとして適切に登録することができる。
【０３４０】
Ｓ１２３では、そのグループデータに、番号登録されているデータ、すなわちファクシミリ番号によって登録されているデータがあるか否かを判別する。番号登録されているデータがある場合にはＳ１２４に進み、そのデータを交換先においてそのままファクシミリ番号を用いて番号登録する。Ｓ１２４の後はＳ１２３に戻る。また、Ｓ１２３において、番号登録されているデータがない場合には、Ｓ１２５に進む。
【０３４１】
Ｓ１２５においては、交換元のグループデータのうち、未処理のグループデータがあるか否かを判別する。未処理のグループデータがある場合には、Ｓ１１０に戻って処理を繰り返す。未処理のグループデータがない場合には、処理を終了する。
【０３４２】
以上のようにして、Ｓ１１０でグループデータを取り出した上で、Ｓ１１１〜Ｓ１１６ではそのうちのワンタッチダイヤルデータの転送に応じてそのグループデータの登録状態を変更し、Ｓ１１７〜Ｓ１２２ではそのうちの短縮ダイヤルデータの転送に応じてそのグループデータの登録状態を変更し、Ｓ１２３・Ｓ１２４ではそもそもファクシミリ番号で登録されていた番号登録をそのまま交換先でも番号登録とする。そして、Ｓ１２５で、他のグループデータの有無を判別し、全てのグループデータについて転送を行うようにする。
【０３４３】
したがって、他のファクシミリ装置（ファクシミリ装置Ｆ）に対してもグループダイヤル用データを登録することができ、グループダイヤル用データの再設定を不要にできる。
【０３４４】
なお、上述の実施の形態では、ワンタッチダイヤル用データ、短縮ダイヤル用データの、他のファクシミリ装置への転送については、実施の形態１にて説明した構成を用いた。しかしながら、本発明はこれに限るものではなく、ワンタッチダイヤル用データ、短縮ダイヤル用データの転送は、どのように行うものであってもよい。
【０３４５】
また、上述の実施の形態においては、Ｓ１１４〜Ｓ１１６、Ｓ１２０〜Ｓ１２２、Ｓ１２４の各工程において、その度に交換先に登録を行う構成について説明したが、本発明はこれに限るものではない。Ｓ１１４〜Ｓ１１６、Ｓ１２０〜Ｓ１２２、Ｓ１２４の各工程においては、交換元で番号の修正のみを行い、最後に（Ｓ１２５の後に）修正したデータをまとめて交換先に登録を行う構成であってもよい。
【０３４６】
また、上述の実施の形態においては、交換元においてグループデータに含まれているデータを、交換先において例えば番号登録を用いるなどして全て登録することができた場合について説明したが、本発明はこれに限るものではない。
【０３４７】
上述のファクシミリ装置Ｅは、例えば、交換先のファクシミリ装置Ｆにおいて全てのデータを登録できないグループデータがあった場合には、そのグループデータの登録を止める構成であってもよい。
【０３４８】
すなわち、例えば、交換先における番号登録の数が多くなることによって、交換先におけるグループデータ用の記憶領域が不足して、登録することができないグループデータが発生する場合が考えられる。このような場合には、ファクシミリ装置Ｅは、ファクシミリ装置Ｆにおける、そのグループデータの登録を中止する。例えば、上述の図１９において、Ｓ１２５の後に、交換先に登録できなかったグループデータの有無を判別するステップを加えてもよい。
【０３４９】
この構成であれば、グループデータにおいて抜けが生じた場合には登録をしないので、例えばデータの抜けに気づかずにグループダイヤルを使用して、複数のうちのいくつかの送信先に送信することができないという事態を防止できる。
【０３５０】
また、ファクシミリ装置Ｅは、グループデータについて印刷部７を用いて印刷するようにしてもよい。例えば、上述のように、登録を中止したグループデータがある場合には、印刷部７を用いて印刷を行って、グループデータの抜けを確実に把握することができる。
【０３５１】
また、上述の実施の形態においては、ワンタッチダイヤル用データ、短縮ダイヤル用データのデータ転送が終了した後に、グループダイヤル用データの転送を行う構成について説明したが、本発明はこれに限るものではない。
【０３５２】
例えば、グループダイヤル用データをできるだけ維持するように、ワンタッチダイヤル用データ、短縮ダイヤル用データを移動する構成であってもよい。
【０３５３】
すなわち、例えば、交換元のグループダイヤル用データを取り出した上で、グループダイヤル中にワンタッチ番号または短縮番号によって登録されているデータを、まず交換先のワンタッチダイヤル用領域または短縮ダイヤル用領域に登録する。そして、まだ交換を行っていないデータについて、その後に、例えば上述の実施の形態１〜５で説明したような手順によって、交換先のワンタッチダイヤル用領域または短縮ダイヤル用領域へと登録を行うようにしてもよい。このようにすれば、グループダイヤル用データの溢れを低減、防止できる。また、グループダイヤルの使い勝手を交換先においても維持できる。
【０３５４】
なお、図８（ｄ）は参考となる実施形態を示すものであり、図８（ｅ）（ｆ）は、本発明の他の実施形態の例を示すものである。
【０３５５】
図８（ｄ）は、機種Ａと同様の装置（以下単に機種Ａとする。）と機種Ｃと同様の装置（以下単に機種Ｃとする。）との間でのデータ交換の参考例を示すものである。例えば、機種Ａから機種Ｃへのデータ送信は、Ａｄ１０にて示すワンタッチダイヤル用のデータ（ワンタッチ１〜２０）とＡｄ１２にて示す短縮ダイヤル用のデータ（短縮１〜１００）とを、Ｃｄ４にて示すワンタッチ１〜２０とＣｄ５にて示す短縮１〜１００とに転送することによって行う。Ａｄ１１（ワンタッチ２１〜５０）とＡｄ１３（短縮１０１〜３００）とは、それぞれ溢れたワンタッチ用データ、溢れた短縮用データとなってしまう。また、逆に、機種Ｃから機種Ａへのデータ送信は、Ｃｄ４のデータをＡｄ１０に転送し、Ｃｄ５のデータをＡｄ１２に転送することによって行う。
【０３５６】
一方、図８（ｅ）に示すように、本発明に係るファクシミリ装置の一例における機種Ａから機種Ｃへのデータ転送においては、例えば、Ａｄ１４にて示すワンタッチダイヤル用のデータ（ワンタッチ１〜２０）をＣｄ６にて示すワンタッチ１〜２０に登録する。また、Ａｄ１５にて示すワンタッチダイヤル用のデータ（ワンタッチ２１〜５０）を、Ｃｄ７にて示す短縮１〜３０に登録する。その上で、Ａｄ１６にて示す溢れた短縮ダイヤル用データ（短縮１〜３００）の一部を、例えば頻度順に、Ｃｄ８にて示す短縮３１〜１００に登録する。
【０３５７】
また、図８（ｆ）に示すように、本発明に係るファクシミリ装置の他の一例における機種Ｃから機種Ａへのデータ転送においては、例えば、Ｃｄ９にて示すワンタッチダイヤル用のデータ（ワンタッチ１〜２０）をＡｄ１７にて示すワンタッチ１〜２０に登録する。また、Ｃｄ１０（短縮１〜３０）、Ｃｄ１１（短縮３１〜１００）については、Ａｄ１８（ワンタッチ２１〜５０）、Ａｄ１９（短縮１〜７０）に登録する。Ａｄ２０（短縮７１〜３００）は空き領域となる。
【０３５８】
ここで、従来のファクシミリ装置においては、短縮ダイヤル用データ、ワンタッチダイヤル用データなどを、例えば新しく購入したファクシミリ装置にコピーする際に、できるだけデータの漏れが無いようにコピーするという課題が認識されていなかった。また、元の状態をできるだけ維持するようにコピーするという課題も認識されていなかった。
【０３５９】
また、そもそも、ファクシミリ装置の機種ごとに、短縮ダイヤル用データ、ワンタッチダイヤル用データなどのデータ構造（例えばデータの並び順、ひらがなのみを用いることができるのか、漢字も用いることができるのか）などが異なっており、本願のようなデータ転送は行われていなかった。
【０３６０】
このため、例えば新たに他機種のファクシミリ装置を購入し、短縮ダイヤルやワンタッチダイヤルのデータをその装置に移行するときに、登録可能数が十分でないならば、登録できない短縮ダイヤルやワンタッチダイヤルが発生する虞れがある。また、この場合には、ユーザが、溢れた登録データを再度入力して登録する必要を生ずることがある。
【０３６１】
また、ファクシミリ装置においてグループダイヤル機能を用いる場合に、このグループダイヤルが短縮ダイヤルやワンタッチダイヤルによって登録されていると、ファクシミリ装置同士の登録可能数が異なるときに、例えばデータの溢れを生じて、ワンタッチダイヤルが正しく登録できない可能性がある。また、この場合には、例えば溢れたデータをユーザが再度登録し直す必要があったりした。
【０３６２】
そこで、本発明は、溢れたワンタッチダイヤル用データを短縮ダイヤル用領域に、また、溢れた短縮ダイヤル用データをワンタッチダイヤル用領域に、可能な限り登録し直すことで、ユーザの登録作業を軽減する。また、登録し直す際には、使い勝手を向上させるために、登録の順番を例えば使用頻度の順となるように変更してもよい。また、グループダイヤルを用いている場合には、短縮ダイヤル用データ、ワンタッチダイヤル用データを登録し直す際に、このグループダイヤルのデータを適宜修正して登録する。また、データ転送の処理を実際に行う主体は転送元に限るものではなく、転送先が転送処理を行ってもよいし、または転送元と転送先とに接続されたホスト装置が転送処理を行ってもよい。
【０３６３】
なお、添付した図面において記載している電話番号は単なる一例であり、本発明はこれに限るものではない。
【０３６４】
本発明は上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【０３６５】
上述の具体的な実施形態または実施例は、あくまでも、本発明の技術内容を明らかにするものであって、本発明はそのような具体例にのみ限定して狭義に解釈されるべきものではなく、特許請求の範囲に示した範囲で種々の変更が可能であり、変更した形態も本発明の技術的範囲に含まれる。
【０３６６】
【発明の効果】
本発明に係るファクシミリ装置は、以上のように、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、第１の記憶部のデータを上記第３の記憶部に登録するとともに、第２の記憶部のデータを上記第４の記憶部に登録する登録部とを備え、上記登録部は、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を上記第４の記憶部に登録する構成である。
【０３６７】
それゆえ、例えば、第１の記憶部に記憶されているデータのうちの、第３の記憶部に登録できない分を、第４の記憶部の空き領域に登録するようにして、溢れたワンタッチダイヤル用データを低減し、または溢れたワンタッチダイヤル用データの発生を防止できるという効果を奏する。
【０３６８】
本発明に係るファクシミリ装置は、以上のように、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、第１の記憶部のデータを上記第３の記憶部に登録するとともに、第２の記憶部のデータを上記第４の記憶部に登録する登録部とを備え、上記登録部は、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を上記第３の記憶部に登録する構成である。
【０３６９】
それゆえ、例えば、第２の記憶部に記憶されているデータのうちの、第４の記憶部に登録できない分を、第３の記憶部の空き領域に登録するようにして、溢れた短縮ダイヤル用データを低減し、または溢れた短縮ダイヤル用データの発生を防止できるという効果を奏する。
【０３７０】
本発明に係るファクシミリ装置は、以上のように、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、第１の記憶部のデータおよび第２の記憶部のデータを、上記第３の記憶部を優先するように登録する登録部を備えている構成である。
【０３７１】
それゆえ、例えば、第２の記憶部のデータの容量が第４の記憶部の空き容量を超えている場合であっても、第２の記憶部のデータを第３の記憶部に優先して登録するので、超えた分のデータの少なくとも一部を第３の記憶部に登録することができる場合があり、短縮ダイヤル用データの溢れを低減、防止できるという効果を奏する。また、第３の記憶部に対して優先的に登録するので、登録先である他のファクシミリ装置において、ワンタッチダイヤル用データの登録数を増加させて、使い勝手を向上させるという効果を奏する。
【０３７２】
本発明に係るファクシミリ装置は、以上のように、ワンタッチダイヤル部が第１の記憶部に記憶されているデータを用いる頻度を送信先ごとに計測して記憶するとともに、短縮ダイヤル部が第２の記憶部に記憶されているデータを用いる頻度を送信先ごとに計測して記憶する頻度測定部と、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き領域、および上記他のファクシミリ装置が備えている短縮ダイヤル部の用いるデータが記憶される上記他のファクシミリ装置の第４の記憶部の空き領域、の少なくともいずれか一方に、上記第１の記憶部のデータおよび上記第２の記憶部のデータを、上記頻度測定部の計測した頻度の高い順に、上記第３の記憶部を優先するように登録する登録部とを備えている構成である。
【０３７３】
それゆえ、例えば、第２の記憶部のデータの容量が第４の記憶部の空き容量を超えている場合であっても、第２の記憶部のデータを第３の記憶部に優先して登録するので、超えた分のデータの少なくとも一部を第３の記憶部に登録することができる場合があり、短縮ダイヤル用データの溢れを低減、防止できるという効果を奏する。また、第３の記憶部に対して優先的に登録するので、登録先である他のファクシミリ装置において、ワンタッチダイヤル用データの登録数を増加させて、使い勝手を向上させるという効果を奏する。
【０３７４】
本発明に係るファクシミリ装置は、以上のように、上記構成において、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、上記登録部が、上記検出部によって、上記第１の記憶部に記憶されているデータの容量が上記第３の記憶部の空き容量を超えており、上記第２の記憶部に記憶されているデータの容量が上記第４の記憶部の空き容量よりも小さいと検出されたときには、上記第１の記憶部に記憶されているデータの少なくとも一部を、上記頻度測定部の計測した頻度の高い順に、上記第４の記憶部に登録する構成である。
【０３７５】
それゆえ、例えば、第１の記憶部に記憶されているデータのうちの、第３の記憶部に登録できない分を、頻度測定部の計測した頻度の高い順に、第４の記憶部の空き領域に登録して、溢れたワンタッチダイヤル用データを低減し、または溢れたワンタッチダイヤル用データの発生を防止できるという効果を奏する。また、頻度順に登録するので、ファクシミリ装置において使用頻度が高かったものを確実に他のファクシミリ装置に登録して、使い勝手を低下させないという効果を奏する。
【０３７６】
本発明に係るファクシミリ装置は、以上のように、上記構成において、上記ワンタッチダイヤル部が上記第１の記憶部に記憶されているデータを用いる頻度を送信先ごとに計測して記憶するとともに、上記短縮ダイヤル部が上記第２の記憶部に記憶されているデータを用いる頻度を送信先ごとに計測して記憶する頻度測定部を備え、上記登録部が、上記検出部によって、上記第２の記憶部に記憶されているデータの容量が上記第４の記憶部の空き容量を超えており、上記第１の記憶部に記憶されているデータの容量が上記第３の記憶部の空き容量よりも小さいと検出されたときには、上記第２の記憶部に記憶されているデータの少なくとも一部を、上記頻度測定部の計測した頻度の高い順に、上記第３の記憶部に登録する構成である。
【０３７７】
それゆえ、例えば、第２の記憶部に記憶されているデータのうちの、第４の記憶部に登録できない分を、頻度測定部の計測した頻度の高い順に、第３の記憶部の空き領域に登録して、溢れた短縮ダイヤル用データを低減し、または溢れた短縮ダイヤル用データの発生を防止できるという効果を奏する。また、頻度順に登録するので、ファクシミリ装置において使用頻度が高かったものを確実に他のファクシミリ装置に登録して、使い勝手を低下させないという効果を奏する。
【０３７８】
本発明に係るファクシミリ装置は、以上のように、ファクシミリ装置本体と接続された他のファクシミリ装置に対して、上記他のファクシミリ装置が備えているワンタッチダイヤル部の用いるデータが記憶される上記他のファクシミリ装置の第３の記憶部の空き容量と、上記他のファクシミリ装置が備えている短縮ダイヤル部の用いるデータが記憶される上記他のファクシミリ装置の第４の記憶部の空き容量とを検出する検出部と、ワンタッチダイヤル部が第１の記憶部に記憶されているデータを用いる頻度を送信先ごとに計測して記憶するとともに、短縮ダイヤル部が第２の記憶部に記憶されているデータを用いる頻度を送信先ごとに計測して記憶する頻度測定部と、上記検出部によって、上記第１の記憶部に記憶されているデータの容量が上記第３の記憶部の空き容量よりも小さいと検出されたときには、上記第１の記憶部のデータを上記第３の記憶部に登録し、上記第２の記憶部に記憶されているデータを、上記頻度測定部の計測した頻度の高い順に、上記第３の記憶部の空き領域および上記第４の記憶部の空き領域の少なくともいずれか一方に、上記第３の記憶部を優先するようにして登録する登録部とを備えている構成である。
【０３７９】
それゆえ、例えば、第１の記憶部に記憶されているデータを第３の記憶部の空き領域に登録し、第３の記憶部の残った空き領域に第２の記憶部のデータを頻度順に登録するので、登録先である他のファクシミリ装置において、ワンタッチダイヤル用データの登録数を増加させて、使い勝手を向上できるという効果を奏する。また、頻度順に登録するので、ファクシミリ装置において使用頻度が高かったものを確実に他のファクシミリ装置に登録して、使い勝手を低下させないという効果を奏する。
【０３８０】
本発明に係るファクシミリ装置は、以上のように、上記構成において、複数の送信先への同時送信を行うために、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、所定のキーに対する選択を検出すると上記キーによって指定される上記複数の送信先への送信を行うグループダイヤル部を備え、上記登録部が、上記ワンタッチダイヤル部の用いるデータまたは上記短縮ダイヤル部の用いるデータの、上記他のファクシミリ装置への登録に応じて、上記グループダイヤル部における、上記ワンタッチダイヤル番号または上記短縮ダイヤル番号を修正して、上記他のファクシミリ装置に登録する構成である。
【０３８１】
それゆえ、他のファクシミリ装置に対して、修正したグループダイヤル用データを登録して、グループダイヤル用データの再設定を防止できるという効果を奏する。
【０３８２】
本発明に係るファクシミリ装置は、以上のように、上記構成において、上記登録部の登録結果に応じて、上記第３の記憶部および上記第４の記憶部に登録されたデータを印刷する印刷部を備えている構成である。
【０３８３】
それゆえ、登録内容が印刷されるので、確認を簡単に行うことができるという効果を奏する。
【０３８４】
本発明に係るファクシミリ装置は、上記課題を解決するために、数字キーの組合せによる短縮ダイヤル番号に対する選択を検出すると上記短縮ダイヤル番号によって指定される送信先への送信を行う短縮ダイヤル部と、上記数字キーとは独立して設けられた複数のキーのうちの一つのキーによるワンタッチダイヤル番号に対する選択を検出すると上記ワンタッチダイヤル番号によって指定される送信先への送信を行うワンタッチダイヤル部と、複数の送信先への同時送信を行うために、所定のキーによって指定されるグループダイヤル番号として、上記短縮ダイヤル部における短縮ダイヤル番号、上記ワンタッチダイヤル部におけるワンタッチダイヤル番号、または所望の送信先のファクシミリ番号のいずれかを用いて上記複数の送信先を登録し、上記グループダイヤル番号に対する選択を検出すると、上記グループダイヤル番号によって指定される上記複数の送信先への送信を行うグループダイヤル部とを備えているファクシミリ装置において、ファクシミリ装置本体と接続された他のファクシミリ装置に対して、上記ワンタッチダイヤル部が用いるデータおよび上記短縮ダイヤル部が用いるデータを登録する登録部を備え、上記登録部は、上記他のファクシミリ装置の有する記憶領域に応じて、上記ワンタッチダイヤル部が用いるデータを上記他のファクシミリ装置の短縮ダイヤル部用の記憶領域に登録するとともに上記ワンタッチダイヤル用番号を短縮ダイヤル用番号として登録し、または上記短縮ダイヤル部が用いるデータを上記他のファクシミリ装置のワンタッチダイヤル部用の記憶領域に登録するとともに上記短縮ダイヤル用番号をワンタッチダイヤル用番号として登録し、上記登録部は、上記他のファクシミリ装置において登録した上記ワンタッチダイヤル番号または上記短縮ダイヤル番号に応じて、上記グループダイヤル部の用いるデータを修正して、上記他のファクシミリ装置に対して登録する構成である。
【０３８５】
それゆえ、他のファクシミリ装置に対して、ワンタッチダイヤル用番号、短縮ダイヤル用番号の修正に応じた修正を行った上で、グループダイヤル用データを登録するので、グループダイヤル用データの再設定を防止できるという効果を奏する。
【０３８６】
本発明に係るファクシミリ装置は、上記課題を解決するために、上記構成において、上記登録部は、上記ワンタッチダイヤル部が用いるデータの少なくとも一部、または上記短縮ダイヤル部が用いるデータの少なくとも一部が、上記他のファクシミリ装置において登録することができなかったときに、上記グループダイヤル部の用いるデータのうちの一部についても登録することができなかった場合には、その一部のデータについては、送信先のファクシミリ番号を用いて番号登録する構成である。
【０３８７】
それゆえ、ファクシミリ番号を用いて登録するので、登録先の他のファクシミリ装置においてもグループダイヤルを用いることができ、グループダイヤル用データの再設定を防止するとともに、グループダイヤル用データの抜けを防止できるという効果を奏する。
【０３８８】
本発明に係るファクシミリ装置は、上記課題を解決するために、上記構成において、上記登録部は、上記他のファクシミリ装置において登録され、変更された上記ワンタッチダイヤル番号、上記短縮ダイヤル番号に応じて修正した上記グループダイヤル部の用いるデータが、上記他のファクシミリ装置のグループダイヤル部の用いる記憶部の記憶容量を超えていて記憶できなかった場合に、上記記憶できなかった上記グループダイヤル番号は上記他のファクシミリ装置に登録しない構成である。
【０３８９】
それゆえ、グループダイヤル部の用いるデータを、他のファクシミリ装置に登録できなかった場合には、そのグループダイヤル番号の登録をやめて、他のファクシミリ装置に登録しないので、グループダイヤル用データの抜けを防止できるという効果を奏する。
【０３９０】
本発明に係るファクシミリ装置は、上記課題を解決するために、上記構成において、上記登録部の登録結果に応じて、上記グループダイヤル部に記憶されていたデータを印刷する印刷部を備えている構成である。
【０３９１】
それゆえ、例えばそのグループダイヤル番号の登録をやめて、他のファクシミリ装置に登録しないときには、印刷を行うので、グループダイヤル用データの抜けを確実に把握できるという効果を奏する。
【０３９２】
本発明に係るファクシミリ装置のデータ登録方法は、以上のように、第１のファクシミリ装置の短縮ダイヤル部の用いるデータの少なくとも一部を第２のファクシミリ装置のワンタッチダイヤル部の用いる記憶領域に登録する工程、または、第１のファクシミリ装置のワンタッチダイヤル部の用いるデータの少なくとも一部を第２のファクシミリ装置の短縮ダイヤル部の用いる記憶領域に登録する工程を含んでいる構成である。
【０３９３】
それゆえ、例えば、第１のファクシミリ装置のワンタッチダイヤル用データの容量が第２のファクシミリ装置のワンタッチダイヤル部の用いる記憶領域の空き容量を超えている場合に生ずる、溢れたワンタッチダイヤル用データを低減、防止できるという効果を奏する。また、例えば、第１のファクシミリ装置の短縮ダイヤル用データの容量が第２のファクシミリ装置の短縮ダイヤル部の用いる記憶領域の空き容量を超えている場合に生ずる、溢れた短縮ダイヤル用データを低減、防止できるという効果を奏する。
【図面の簡単な説明】
【図１】本発明に係るファクシミリ装置の一実施の形態による、ワンタッチダイヤル用データおよび短縮ダイヤル用データの転送の一例を示す図である。
【図２】上記ファクシミリ装置の概略構成を示すブロック図である。
【図３】上記ファクシミリ装置に記憶されているワンタッチダイヤル用データおよび短縮ダイヤル用データの一例の構成を示す図である。
【図４】上記ファクシミリ装置による、データ転送の一例の概略を示すフローチャートである。
【図５】上記ファクシミリ装置による、ワンタッチダイヤル用データおよび短縮ダイヤル用データの転送の他の一例を示す図である。
【図６】上記ファクシミリ装置による、データ転送の一例の詳細を示すフローチャートである。
【図７】上記ファクシミリ装置と他のファクシミリ装置との接続の一例を示すブロック図である。
【図８】（ａ）は本発明に係るファクシミリ装置の他の一実施の形態によるワンタッチダイヤル用データおよび短縮ダイヤル用データ転送の一例を示す図であり、（ｂ）は上記ファクシミリ装置によるデータ転送の他の一例を示す図であり、（ｃ）は上記ファクシミリ装置によるデータ転送のさらに他の一例を示す図であり、（ｄ）はファクシミリ装置によるデータ転送の参考例を示す図であり、（ｅ）は本発明に係るファクシミリ装置の他の一例によるデータ転送の一例を示す図であり、（ｆ）はさらに他のファクシミリ装置によるデータ転送の一例を示す図である。
【図９】図８（ａ）〜（ｃ）におけるファクシミリによる、データ転送の一例の詳細を示すフローチャートである。
【図１０】（ａ）は本発明に係るファクシミリ装置のさらに他の一実施の形態によるワンタッチダイヤル用データおよび短縮ダイヤル用データの一例の構成を示す図であり、（ｂ）は上記ファクシミリ装置による頻度情報の更新手順の一例を示すフローチャートであり、（ｃ）は上記ファクシミリ装置による頻度情報の初期設定手順の一例を示すフローチャートであり、（ｄ）は上記ファクシミリ装置による頻度情報の更新手順の他の一例を示すフローチャートであり、（ｅ）は上記ファクシミリ装置によるデータ転送の一例の概略を示すフローチャートである。
【図１１】上記ファクシミリ装置による、データ転送の一例の詳細を示すフローチャートである。
【図１２】（ａ）は本発明に係るファクシミリ装置のさらに他の一実施の形態によるワンタッチダイヤル用データおよび短縮ダイヤル用データの転送の一例を示す図であり、（ｂ）は上記ファクシミリ装置によるデータ転送の他の一例を示す図である。
【図１３】上記ファクシミリ装置による、データ転送の一例の詳細を示すフローチャートである。
【図１４】（ａ）は本発明に係るファクシミリ装置のさらに他の一実施の形態によるワンタッチダイヤル用データおよび短縮ダイヤル用データの転送の一例を示す図であり、（ｂ）は上記ファクシミリ装置によるデータ転送の他の一例を示す図である。
【図１５】上記ファクシミリ装置による、データ転送の一例の詳細を示すフローチャートである。
【図１６】（ａ）は本発明に係るファクシミリ装置のさらに他の一実施の形態に記憶されているグループダイヤル用データの一例の構成を示す図であり、（ｂ）は上記ファクシミリ装置に記憶されているワンタッチダイヤル用データの一例の構成を示す図であり、（ｃ）は上記ファクシミリ装置に記憶されている短縮ダイヤル用データの一例の構成を示す図である。
【図１７】（ａ）は本発明に係るファクシミリ装置のさらに他の一実施の形態に記憶されているグループダイヤル用データの一例の構成を示す図であり、（ｂ）は上記ファクシミリ装置に記憶されているワンタッチダイヤル用データの一例の構成を示す図であり、（ｃ）は上記ファクシミリ装置に記憶されている短縮ダイヤル用データの一例の構成を示す図である。
【図１８】（ａ）は本発明に係るファクシミリ装置のさらに他の一実施の形態に記憶されているグループダイヤル用データの一例の構成を示す図であり、（ｂ）は上記ファクシミリ装置に記憶されているワンタッチダイヤル用データの一例の構成を示す図である。
【図１９】図１６（ａ）〜（ｃ）のデータを記憶している上記ファクシミリ装置による、データ転送の一例の詳細を示すフローチャートである。
【符号の説明】
１      ファクシミリ装置（第１のファクシミリ装置）
３      操作・表示部（短縮ダイヤル部、ワンタッチダイヤル部）
４      データ登録部（検出部、登録部、頻度測定部）
５      データ管理部（第１の記憶部、第２の記憶部）
７      印刷部
１０    ファクシミリ装置（他のファクシミリ装置、第２のファクシミリ装置、第３の記憶部、第４の記憶部）
１１    ホスト
【図１】
2004357258.tif 000003
【図２】
2004357258.tif 000004
【図３】
2004357258.tif 000005
【図４】
2004357258.tif 000006
【図５】
2004357258.tif 000007
【図６】
2004357258.tif 000008
【図７】
2004357258.tif 000009
【図８】
2004357258.tif 000010
【図９】
2004357258.tif 000011
【図１０】
2004357258.tif 000012
【図１１】
2004357258.tif 000013
【図１２】
2004357258.tif 000014
【図１３】
2004357258.tif 000015
【図１４】
2004357258.tif 000016
【図１５】
2004357258.tif 000017
【図１６】
2004357258.tif 000018
【図１７】
2004357258.tif 000019
【図１８】
2004357258.tif 000020
【図１９】
2004357258.tif 000021